(57)【要約】【課題】コネクタの誤挿入に伴う接続不良を防止すること。【解決手段】バックライト装置は、少なくとも平面視矩形状をなす底板２２ａを有するシャーシ２２と、一方の板面が底板２２ａ上に取り付けられてなるＬＥＤ基板２５と、その光出射側が底板２２ａ側とは反対側に向けられた形でＬＥＤ基板２５の他方の板面上に配されたＬＥＤ２４と、ＬＥＤ２４に電源を供給する給電基板４３と、給電基板４３に設けられ、並列する２つの端子５６を有するコネクタ５４と、ＬＥＤ基板２５に設けられ、コネクタ５４をＬＥＤ基板２５の板面方向に沿って挿入可能な接続開口５５を有するとともに、接続開口５５にコネクタ５４が挿入されることでＬＥＤ基板２５と給電基板４３とを電気的に接続するハウジング５７と、ハウジング５７と端子５６が並列する方向に隣接して設けられ、底板２２から接続開口５５よりもＬＥＤ２４の光出射側に突出する突出部材７０と、を備える。【選択図】図１２
2013229232.tif 000002
【特許請求の範囲】
【請求項１】
少なくとも平面視矩形状をなす板状部を有するシャーシと、
一方の板面が前記板状部上に取り付けられてなる光源基板と、
その光出射側が前記板状部側とは反対側に向けられた形で前記光源基板の他方の板面上に配された光源と、
前記光源に電源を供給する給電部材と、
前記光源基板と前記給電部材とのいずれか一方に設けられ、並列する２つの端子を有するコネクタと、
前記光源基板と前記給電部材とのいずれか他方に設けられ、前記コネクタを前記光源基板の板面方向に沿って挿入可能な接続開口を有するとともに、該接続開口に前記コネクタが挿入されることで前記光源基板と前記給電部材とを電気的に接続するハウジングと、
前記ハウジングと前記端子が並列する方向に隣接して設けられ、前記板状部から前記接続開口よりも前記光源の光出射側に突出する突出部材と、
を備える照明装置。
【請求項２】
前記突出部材が柱状をなしている、請求項１に記載の照明装置。
【請求項３】
前記給電部材は長方形の板状をなす給電基板である、請求項１または請求項２に記載の照明装置。
【請求項４】
前記コネクタは、前記給電基板の一部からその短辺方向に延びるものとされている、請求項３に記載の照明装置。
【請求項５】
前記光源基板は長方形状をなし、
前記ハウジングは前記光源基板の長辺方向の一方の端部に設けられている、請求項４に記載の照明装置。
【請求項６】
前記接続開口は、その開口が前記光源基板の長辺方向の他方の端部側に向けられた形とされている、請求項４または請求項５に記載の照明装置。
【請求項７】
前記ハウジングは前記光源基板上に設けられ、
前記光源基板の前記突出部材と対向する部位に切り込みが設けられている、請求項１から請求項６のいずれか１項に記載の照明装置。
【請求項８】
前記ハウジングは前記光源基板上に設けられ、
前記突出部材は、前記光源基板よりも前記光出射側へ突出するとともに、その先端が前記光源基板の一部と平面に視て重畳するまで前記光源基板の板面方向に沿って延出している、請求項１から請求項６のいずれか１項に記載の照明装置。
【請求項９】
前記コネクタは前記光源基板の端部に設けられている、請求項１または請求項２に記載の照明装置。
【請求項１０】
前記突出部材が前記ハウジングの両側に設けられている、請求項１から請求項９のいずれか１項に記載の照明装置。
【請求項１１】
前記ハウジングは頂面を有する箱状をなしている、請求項１から請求項１０のいずれか１項に記載の照明装置。
【請求項１２】
前記突出部材の突出する高さが前記ハウジングの前記頂面の高さよりも低いものとされている、請求項１１に記載の照明装置。
【請求項１３】
請求項１から請求項１２のいずれか１項に記載の照明装置からの光を利用して表示を行う表示パネルを備える表示装置。
【請求項１４】
前記表示パネルが液晶を用いた液晶パネルである、請求項１３に記載の表示装置。
【請求項１５】
請求項１３又は請求項１４に記載の表示装置を備える、テレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、光源と対向するようシャーシの開口部を覆う形で配されて光源が発する光を効率的に液晶パネル側へ放出させるための光学部材（拡散シート等）とを備える。上記したバックライト装置の構成部品のうち、光源として例えばＬＥＤを用いる場合があり、その場合には、シャーシ内にＬＥＤを実装したＬＥＤ基板を収容することになる。このようなＬＥＤ基板を備えたバックライト装置の一例として下記特許文献１に記載されたものが知られている。
【先行技術文献】
【特許文献】
【０００３】
【特許文献１】特開２０１２−１８８０９号公報
【発明の概要】
【発明が解決しようとする課題】
【０００４】
上記した特許文献１には、ＬＥＤ基板と、電源であるドライバ基板とが、シャーシを貫通する形で配された基板間コネクタにより接続される構造が記載されている。このようにシャーシ内に配されたＬＥＤ基板をシャーシ外に配された電源に接続するには、コネクタをハウジングの接続開口に挿入する接続構造を用いる手法が採られているが、近年では液晶表示装置の大画面化の進行に伴い、電源に接続するＬＥＤ基板の数が多くなるとともにその接続に係る作業が煩雑なものとなる傾向にある。このため、電源側とＬＥＤ基板側の一方に設けられたコネクタを、電源側とＬＥＤ基板側の他方に設けられた接続開口に接続する際に、コネクタを誤挿入することで接続不良が生じる事態が増加しており、作業効率や生産性を悪化させる要因となっていた。
【０００５】
本明細書で開示される技術は、上記の課題に鑑みて創作されたものである。本明細書で開示される技術は、コネクタの誤挿入に伴う接続不良を防止することを目的とする。
【課題を解決するための手段】
【０００６】
本明細書で開示される技術は、少なくとも平面視矩形状をなす板状部を有するシャーシと、一方の板面が前記板状部上に取り付けられてなる光源基板と、その光出射側が前記板状部側とは反対側に向けられた形で前記光源基板の他方の板面上に配された光源と、
前記光源に電源を供給する給電部材と、前記光源基板と前記給電部材とのいずれか一方に設けられ、並列する２つの端子を有するコネクタと、前記光源基板と前記給電部材とのいずれか他方に設けられ、前記コネクタを前記光源基板の板面方向に沿って挿入可能な接続開口を有するとともに、該接続開口に前記コネクタが挿入されることで前記光源基板と前記給電基板とを電気的に接続するハウジングと、前記ハウジングと前記端子が並列する方向に隣接して設けられ、前記板状部から前記接続開口よりも前記光源の光出射側に突出する突出部材と、を備える照明装置に関する。
【０００７】
上記のような照明装置では、突出部材が２つの端子の並列する方向においてハウジングと隣接しているとともに、接続開口において端子が挿入される高さよりも高い位置まで突出している。このため、２つの端子のうち一方のみが接続開口に挿入された場合に、接続開口に挿入されなかった他方の端子が突出部材と当接し易いものとなる。他方の端子が突出部材と当接すると、２つの端子のうち一方のみが接続開口に挿入されるような誤挿入が防止されるので、コネクタの誤挿入に伴う接続不良を防止することができる。
【０００８】
前記突出部材が柱状をなしていてもよい。
この構成によると、突出部材が先細り状とされている場合に比して突出部材の剛性を高いものとすることができる。このため、端子と当接することで突出部材が破損することを防止ないし抑制することができる。
【０００９】
前記給電部材は長方形の板状をなす給電基板であってもよい。
この構成によると、給電基板に複数のコネクタ又は複数のハウジングを設けることで、給電基板を一度に複数の光源基板と接続させることができる。
【００１０】
前記コネクタは、前記給電基板の一部からその短辺方向に延びるものとされていてもよい。
この構成によると、給電基板の延在する方向と直交する方向に沿って接続開口内にコネクタを挿入することができるので、給電基板にコネクタが設けられた構成である場合に、コネクタを接続開口に挿入し易いものとすることができる。
【００１１】
前記光源基板は長方形状をなし、前記ハウジングは前記光源基板の長辺方向の一方の端部に設けられていてもよい。
この構成によると、給電基板に設けられたコネクタをハウジングの接続開口に挿入する際に、光源基板上に配された光源が邪魔になり難いものとすることができる。
【００１２】
前記接続開口は、その開口が前記光源基板の長辺方向の他方の端部側に向けられた形とされていてもよい。
この構成によると、コネクタを有する給電基板が、光源基板の外側に配されるのではなく、光源基板の一部と重畳する位置に配されることとなるので、板状部の省スペース化を図ることができ、その結果、照明装置の狭額縁化を図ることができる。
【００１３】
前記ハウジングは前記光源基板上に設けられ、前記光源基板の前記突出部材と対向する部位に切り込みが設けられていてもよい。
この構成によると、光源基板に切り込みを設けることで、突出部材をハウジングに対して一層近接させて設けることができるので、２つの端子のうち一方のみが接続開口に挿入された場合に、接続開口に挿入されなかった他方の端子が突出部材と一層当接し易いものとすることができる。
【００１４】
前記ハウジングは前記光源基板上に設けられ、前記突出部材は、前記光源基板よりも前記光出射側へ突出するとともに、その先端が前記光源基板の一部と平面に視て重畳するまで前記光源基板の板面方向に沿って延出していてもよい。
この構成によると、光源基板の端部が光源の光出射側に撓むことを突出部材の先端によって規制することができる。
【００１５】
前記コネクタは前記光源基板の端部に設けられていてもよい。
光源基板の表面には光源が設けられているので、コネクタが光源基板に設けられている構成である場合、コネクタを接続開口に挿入する際に光源基板の表裏を間違えてコネクタを挿入することがない。上記の構成によると、コネクタが設けられた基板の表裏を間違えてコネクタを挿入することを防止することができる。
【００１６】
前記突出部材が前記ハウジングの両側に設けられていてもよい。
この構成によると、２つの端子のうち一方のみが接続開口に挿入された場合に、２つの端子の並列する方向のいずれにずれた場合であっても、接続開口に挿入されなかった他方の端子が突出部材と当接することとなる。このため、接続開口に挿入されなかった他方の端子を突出部材と確実に当接させることができる。
【００１７】
前記ハウジングは頂面を有する箱状をなしていてもよい。
この構成によると、ハウジングを給電基板又は光源基板に設け易いものとすることができるとともに、給電基板や光源基板を反射シート等で覆う場合にハウジングが邪魔になり難いものとすることができる。
【００１８】
前記突出部材の突出する高さが前記ハウジングの前記頂面の高さよりも低いものとされていてもよい。
この構成によると、給電基板や光源基板を反射シート等で覆う場合に突出部材が邪魔になり難いものとすることができる。
【００１９】
本明細書で開示される技術は、上記の照明装置からの光を利用して表示を行う表示パネルと、を備える表示装置として表現することもできる。また、上記表示パネルを、液晶を用いた液晶パネルとする表示装置も、新規で有用である。また、上記の表示装置を備えるテレビ受信装置も、新規で有用である。
【発明の効果】
【００２０】
本明細書で開示される技術によれば、コネクタの誤挿入に伴う接続不良を防止することができる。
【図面の簡単な説明】
【００２１】
【図１】実施形態１に係るテレビ受信装置ＴＶの概略構成を示す分解斜視図
【図２】液晶表示装置１０の概略構成を示す分解斜視図
【図３】液晶パネル１１の長辺方向に沿った断面構成を示す断面図
【図４】アレイ基板１１ｂの平面構成を示す拡大平面図
【図５】ＣＦ基板１１ａの平面構成を示す拡大平面図
【図６】バックライト装置１２を構成するシャーシ２２における拡散レンズ２７、ＬＥＤ基板２５、基板保持部材２８及び反射シート２９などの配置構成を示す平面図
【図７】液晶表示装置１１の短辺方向（図６のVII−VII断面）に沿った断面構成を示す断面図
【図８】液晶表示装置１１の長辺方向（図６のVIII−VIII断面）に沿った断面構成を示す断面図
【図９】バックライト装置１２を構成するシャーシ２２におけるＬＥＤ基板２５、給電基板４３及び各配線などの配置構成を示す平面図
【図１０】バックライト装置１２を構成するシャーシ２２におけるＬＥＤ駆動回路基板３０及び各配線３１〜３３などの配置構成を示す底面図
【図１１】ＬＥＤ基板２５の給電回路に係る電気的構成を表すブロック図
【図１２】シャーシ２２におけるＬＥＤ基板２５、給電基板４５及び各配線などの配置構成を示す拡大平面図
【図１３】ＬＥＤ基板２５に設けられたハウジング５７の接続開口５５、及び給電基板４３のコネクタ５４の配置構成を示す平面図
【図１４】図１３におけるXIV−XIV断面の断面図
【図１５】図１３におけるXV−XV断面の断面図
【図１６】図１３におけるXVI−XVI断面の断面図
【図１７】実施形態２に係るＬＥＤ基板１２５に設けられたハウジング１５７の接続開口１５５、及び給電基板１４３のコネクタ１５４の配置構成を示す平面図
【図１８】実施形態３に係るＬＥＤ基板２２５に設けられたハウジング２５７の接続開口２５５、及び給電基板２４３のコネクタ２５４の配置構成を示す平面図
【図１９】図１８におけるXIX−XIX断面の断面図
【図２０】図１８におけるXX−XX断面の断面図
【図２１】実施形態４に係るＬＥＤ基板３２５に設けられたハウジング３５７の接続開口３５５、及び給電基板３４３のコネクタ３５４の配置構成を示す平面図
【図２２】図２１におけるXXII−XXII断面の断面図
【図２３】実施形態５に係るバックライト装置４１２を構成するシャーシ４２２におけるＬＥＤ基板４２５、給電基板４４３及び各配線などの配置構成を示す平面図
【図２４】実施形態５に係るＬＥＤ基板４２５に設けられたハウジング４５７の接続開口４５５、及び給電基板４４３のコネクタ４５４の配置構成を示す平面図
【図２５】図２４におけるXXV−XXV断面の断面図
【図２６】実施形態６に係るＬＥＤ基板５２５に設けられたハウジング５５７の接続開口５５５、及び給電基板５４３のコネクタ５５４の配置構成を示す平面図
【図２７】実施形態６に係るＬＥＤ基板５２５の給電回路に係る電気的構成を表すブロック図
【図２８】実施形態７に係るＬＥＤ基板６２５に設けられたハウジング６５７の接続開口６５５、及び給電基板６４３のコネクタ６５４の配置構成を示す平面図
【図２９】実施形態７に係るＬＥＤ基板６２５の給電回路５４３に係る電気的構成を表すブロック図
【図３０】実施形態８に係るコネクタ７５４をなす端子７５６の一部が接続開口７５５の嵌合空間に嵌合されずにハウジング側規制部７６０及び突出部材７７０に干渉した状態を示す平面図
【図３１】実施形態９に係るコネクタ８５４をなす端子８５６の一部が接続開口８５５の嵌合空間に嵌合されずに突出部材８７０に干渉し、且つ給電基板側規制部８７２が周壁部８５７ａに干渉した状態を示す平面図
【図３２】実施形態１０に係る給電基板９４３が正常に組み付けられ、反転規制突出部材９７４ａが位置決め切り欠き内９７４ｂに受け入れられた状態を示す平面図
【図３３】実施形態１０において、給電基板９４３が正常な姿勢から表裏に反転していて、反転規制突出部材９７４ａが給電基板９４３に干渉した状態を示す平面図
【図３４】実施形態１０において、コネクタ９５４をなす端子９５６の一部が接続開口９５５の嵌合空間に嵌合されずに突出部材９７０に干渉した状態を示す平面図
【発明を実施するための形態】
【００２２】
＜実施形態１＞
図面を参照して実施形態１を説明する。本実施形態では、バックライト装置（照明装置の一例）１２を備える液晶表示装置（表示装置の一例）１０について例示する。なお、各図面の一部にはＸ軸、Ｙ軸及びＺ軸を示しており、各軸方向が各図面で示した方向となるように描かれている。また、図７及び図８に示す上側を表側とし、同図下側を裏側とする。
【００２３】
（テレビ受信装置）
本実施形態に係るテレビ受信装置ＴＶは、図１に示すように、表示装置である液晶表示装置１０と、当該液晶表示装置１０を挟むようにして収容する表裏両キャビネットＣａ，Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれほぼ一致させた状態で収容されている。この液晶表示装置１０は、図２に示すように、表示パネルである液晶パネル（表示パネルの一例）１１と、外部光源であるバックライト装置１２とを備え、これらが枠状のベゼル１３などにより一体的に保持されるようになっている。
【００２４】
（液晶パネル）
液晶表示装置１０における液晶パネル１１の構成について説明する。液晶パネル１１は、全体として横長（長手）の方形状（矩形状）をなしており、図３に示すように、一対の透明な（透光性を有する）ガラス製の基板１１ａ，１１ｂと、両基板１１ａ，１１ｂ間に介在し、電界印加に伴って光学特性が変化する物質である液晶を含む液晶層１１ｃとを備え、両基板１１ａ，１１ｂが液晶層の厚さ分のギャップを維持した状態で図示しないシール剤によって貼り合わせられている。また、両基板１１ａ，１１ｂの外面側には、それぞれ偏光板１１ｄ，１１ｅが貼り付けられている。なお、液晶パネル１１における長辺方向がＸ軸方向と一致し、短辺方向がＹ軸方向と一致している。
【００２５】
両基板１１ａ，１１ｂのうち表側（正面側）がＣＦ基板１１ａとされ、裏側（背面側）がアレイ基板１１ｂとされる。アレイ基板１１ｂの内面、つまり液晶層１１ｃ側（ＣＦ基板１１ａとの対向面側）の面には、図４に示すように、スイッチング素子であるＴＦＴ（Thin Film Transistor）１４及び画素電極１５がマトリクス状（行列状）に多数個並列して設けられるとともに、これらＴＦＴ１４及び画素電極１５の周りには、格子状をなすゲート配線１６及びソース配線１７が取り囲むようにして配設されている。画素電極１５は、長辺方向をＹ軸方向に、短辺方向をＸ軸方向にそれぞれ一致させた縦長（長手）の方形状（矩形状）をなしており、ＩＴＯ（Indium Tin Oxide）或いはＺｎＯ（Zinc Oxide）といった透明電極からなる。ゲート配線１６とソース配線１７とがそれぞれＴＦＴ１４のゲート電極とソース電極とに接続され、画素電極１５がＴＦＴ１４のドレイン電極に接続されている。また、ＴＦＴ１４及び画素電極１５の液晶層１１ｃ側には、図３に示すように、液晶分子を配向するための配向膜１８が設けられている。アレイ基板１１ｂにおける端部には、ゲート配線１６及びソース配線１７から引き回された端子部が形成されており、この端子部には、図示しない液晶駆動用のドライバ部品が異方性導電膜（ACF:Anisotropic Conductive Film）を介して圧着接続され、さらにはその液晶駆動用のドライバ部品が各種配線基板などを介して図示しない表示制御回路基板に電気的に接続されている。この表示制御回路基板は、テレビ受信装置ＴＶにおける画像変換回路基板ＶＣ（図１参照）に接続されるとともに同画像変換回路基板ＶＣからの出力信号に基づいてドライバ部品を介して各配線１６，１７に駆動信号を供給するものとされる。
【００２６】
一方、ＣＦ基板１１ａの内面、つまり液晶層１１ｃ側（アレイ基板１１ｂとの対向面側）の面には、図５に示すように、アレイ基板１１ｂ側の各画素に対応して多数個の着色部Ｒ，Ｇ，Ｂ，Ｙをマトリクス状（行列状）に配列してなるカラーフィルタ１９が設けられている。そして、本実施形態に係るカラーフィルタ１９は、光の三原色である赤色の着色部Ｒ，緑色の着色部Ｇ，青色の着色部Ｂに加えて、黄色の着色部Ｙを有するものとされ、各着色部Ｒ，Ｇ，Ｂ，Ｙが対応した各色（各波長）の光を選択的に透過するものとされる。各着色部Ｒ，Ｇ，Ｂ，Ｙは、画素電極１５と同様に長辺方向をＹ軸方向に、短辺方向をＸ軸方向にそれぞれ一致させた縦長（長手）の方形状（矩形状）をなしている。各着色部Ｒ，Ｇ，Ｂ，Ｙ間には、混色を防ぐため、格子状の遮光層（ブラックマトリクス）ＢＭが設けられている。ＣＦ基板１１ａにおけるカラーフィルタ１９の液晶層１１ｃ側には、図３に示すように、対向電極２０及び配向膜２１が順次積層して設けられている。
【００２７】
カラーフィルタ１９を構成する各着色部Ｒ，Ｇ，Ｂ，Ｙの配置及び大きさについて詳しく説明する。各着色部Ｒ，Ｇ，Ｂ，Ｙは、図５に示すように、Ｘ軸方向を行方向とし、Ｙ軸方向を列方向として行列状に配列されており、各着色部Ｒ，Ｇ，Ｂ，Ｙにおける列方向（Ｙ軸方向）の寸法は全て同一とされるものの、行方向（Ｘ軸方向）の寸法については各着色部Ｒ，Ｇ，Ｂ，Ｙによって異なるものとされる。詳しくは、各着色部Ｒ，Ｇ，Ｂ，Ｙは、図５に示す左側から赤色の着色部Ｒ、緑色の着色部Ｇ、青色の着色部Ｂ、黄色の着色部Ｙの順で行方向に沿って並べられており、このうち赤色の着色部Ｒ及び青色の着色部Ｂの行方向の寸法が、黄色の着色部Ｙ及び緑色の着色部Ｇの行方向の寸法よりも相対的に大きなものとされる。つまり、行方向の寸法が相対的に大きな着色部Ｒ，Ｂと、行方向の寸法が相対的に小さな着色部Ｇ，Ｙとが行方向について交互に繰り返し配されていることになる。これにより、赤色の着色部Ｒ及び青色の着色部Ｂの面積は、緑色の着色部Ｇ及び黄色の着色部Ｙの面積よりも大きなものとされている。青色の着色部Ｂと赤色の着色部Ｒとの面積は、互いに等しいものとされる。同様に緑色の着色部Ｇと黄色の着色部Ｙとの面積は、互いに等しいものとされる。なお、図３及び図５では、赤色の着色部Ｒ及び青色の着色部Ｂの面積が、黄色の着色部Ｙ及び緑色の着色部Ｇの面積の約１．６倍程度とされる場合を代表して図示しているが、この面積比率の具体的な数値は適宜に変更可能である。
【００２８】
カラーフィルタ１９が上記のような構成とされるのに伴い、アレイ基板１１ｂにおいては、図４に示すように、画素電極１５における行方向（Ｘ軸方向）の寸法が列によって異なるものとされる。すなわち、各画素電極１５のうち、赤色の着色部Ｒ及び青色の着色部Ｂと重畳するものの行方向の寸法及び面積は、黄色の着色部Ｙ及び緑色の着色部Ｇと重畳するものの行方向の寸法及び面積よりも相対的に大きなものとされる。また、ゲート配線１６については、全て等ピッチで配列されているのに対し、ソース配線１７については、画素電極１５の行方向の寸法に応じて２通りのピッチで配列されている。
【００２９】
上記のように本実施形態に係る液晶表示装置１０は、４色の着色部Ｒ，Ｇ，Ｂ，Ｙからなるカラーフィルタ１９を備える液晶パネル１１を用いていることから、図１に示すように、テレビ受信装置ＴＶにおいては専用の画像変換回路基板ＶＣを備えるものとされる。すなわち、この画像変換回路基板ＶＣは、チューナーＴから出力されたテレビ画像信号を青色、緑色、赤色、黄色の各色の画像信号に変換し、生成された各色の画像信号を表示制御回路基板に出力することができる。この画像信号に基づいて表示制御回路基板は、各配線１６，１７を介して液晶パネル１１における各色の画素に対応したＴＦＴ１４を駆動し、各色の着色部Ｒ，Ｇ，Ｂ，Ｙを透過する透過光量を適宜制御できるものとされる。
【００３０】
（バックライト装置）
続いて、液晶表示装置１０におけるバックライト装置１２の構成について説明する。バックライト装置１２は、図２に示すように、光出射面側（液晶パネル１１側）に開口する光出射部を有した略箱型をなすシャーシ２２と、シャーシ２２の光出射部を覆うようにして配される光学部材２３群と、シャーシ２２の外縁部に沿って配され光学部材２３群の外縁部をシャーシ２２との間で挟んで保持するフレーム２６とを備える。さらに、シャーシ２２内には、光学部材２３（液晶パネル１１）の直下となる位置に対向状に配されるＬＥＤ（光源の一例）２４と、ＬＥＤ２４が実装されたＬＥＤ基板（光源基板の一例）２５と、ＬＥＤ基板２５においてＬＥＤ２４に対応した位置に取り付けられる拡散レンズ２７とが備えられる。このように、本実施形態に係るバックライト装置１２は、いわゆる直下型とされる。その上、シャーシ２２内には、ＬＥＤ基板２５をシャーシ２２との間で保持することが可能な基板保持部材２８と、シャーシ２２内の光を光学部材２３側に反射させる反射シート２９とが備えられる。さらに、シャーシ２２の裏面側（液晶パネル１１側とは反対側）には、ＬＥＤ２４に駆動電力を供給するためのＬＥＤ駆動回路基板３０が取り付けられている。続いて、バックライト装置１２の各構成部品について詳しく説明する。
【００３１】
（シャーシ）
シャーシ２２は、金属製とされ、図６から図８に示すように、液晶パネル１１と同様に横長な方形状（矩形状、長方形状）をなす底板（板状部の一例）２２ａと、底板２２ａの各辺（一対の長辺及び一対の短辺）の外端からそれぞれ表側（光出射側）に向けて立ち上がる側板２２ｂと、各側板２２ｂの立ち上がり端から外向きに張り出す受け板２２ｃとからなり、全体としては表側に向けて開口した浅い略箱型（略浅皿状）をなしている。シャーシ２２は、その長辺方向がＸ軸方向（水平方向）と一致し、短辺方向がＹ軸方向（鉛直方向）と一致している。シャーシ２２における各受け板２２ｃには、表側からフレーム２６及び次述する光学部材２３が載置可能とされる。各受け板２２ｃには、フレーム２６がねじ止めされている。シャーシ２２の底板２２ａには、基板保持部材２８を取り付けるための取付孔が開口して設けられている。取付孔は、底板２２ａにおいて基板保持部材２８の取付位置に対応して複数分散配置されている。
【００３２】
（光学部材）
光学部材２３は、図２に示すように、液晶パネル１１及びシャーシ２２と同様に平面に視て横長の方形状をなしている。光学部材２３は、図７及び図８に示すように、その外縁部が受け板２２ｃに載せられることで、シャーシ２２の光出射部を覆うとともに、液晶パネル１１とＬＥＤ２４（ＬＥＤ基板２５）との間に介在して配される。光学部材２３は、裏側（ＬＥＤ２４側、光出射側とは反対側）に配される拡散板２３ａと、表側（液晶パネル１１側、光出射側）に配される光学シート２３ｂとから構成される。拡散板２３ａは、所定の厚みを持つほぼ透明な樹脂製で板状をなす基材内に拡散粒子を多数分散して設けた構成とされ、透過する光を拡散させる機能を有する。光学シート２３ｂは、拡散板２３ａと比べると板厚が薄いシート状をなしており、２枚が積層して配されている。具体的な光学シート２３ｂの種類としては、例えば拡散シート、レンズシート、反射型偏光シートなどがあり、これらの中から適宜に選択して使用することが可能である。なお、使用する光学シート２３ｂの枚数や種類は、上記以外にも適宜に変更可能である。
【００３３】
（フレーム）
フレーム２６は、図２に示すように、液晶パネル１１及び光学部材２３の外周縁部に沿う枠状をなしている。このフレーム２６と各受け板２２ｃとの間で光学部材２３における外縁部を挟持可能とされている（図７及び図８）。また、このフレーム２６は、液晶パネル１１における外縁部を裏側から受けることができ、表側に配されるベゼル１３との間で液晶パネル１１の外縁部を挟持可能とされる（図７及び図８）。
【００３４】
（ＬＥＤ）
ＬＥＤ２４は、図８に示すように、ＬＥＤ基板２５上に実装されるとともにＬＥＤ２４に対する実装面とは反対側の面が発光面となる、いわゆる頂面発光型とされる。ＬＥＤ２４は、発光源として青色光を発するＬＥＤチップを備えるとともに、青色光により励起して発光する蛍光体として、緑色蛍光体と赤色蛍光体とを備えている。詳しくは、ＬＥＤ２４は、ＬＥＤ基板２５に固着される基板部上に例えばＩｎＧａＮ系の材料からなるＬＥＤチップを樹脂材により封止した構成とされる。基板部に実装されるＬＥＤチップは、主発光波長が４２０ｎｍ〜５００ｎｍの範囲、つまり青色の波長領域に存するものとされ、色純度に優れた青色光（青色の単色光）を発することが可能とされる。具体的なＬＥＤチップの主発光波長としては、例えば４５１ｎｍが好ましい。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ２４は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２４は、ＬＥＤチップからの青色成分の光と、黄色成分の光とを併せ持っている、とも言える。このＬＥＤ２４の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２４の色度を調整することが可能とされる。なお、本実施形態では、緑色蛍光体は、５００ｎｍ以上５７０ｎｍ以下の緑色波長領域に主発光ピークを有するものとされ、赤色蛍光体は、６００ｎｍ以上７８０ｎｍ以下の赤色波長領域に主発光ピークを有するものとされる。
【００３５】
続いて、ＬＥＤ２４に備えられる緑色蛍光体及び赤色蛍光体について詳しく説明する。緑色蛍光体としては、サイアロン系蛍光体の一種であるβ−ＳｉＡｌＯＮを用いるのが好ましい。サイアロン系蛍光体は、窒化ケイ素のシリコン原子の一部がアルミニウム原子に、窒素原子の一部が酸素原子に置換された物質、つまり窒化物である。窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。サイアロン系蛍光体には、付活剤として希土類元素（例えばＴｂ，Ｙｇ，Ａｇなど）が用いられる。サイアロン系蛍光体の一種であるβ−ＳｉＡｌＯＮは、β型窒化ケイ素結晶にアルミニウムと酸素とが固溶した一般式Ｓｉ6-zＡｌzＯzＮ8-z：Ｅｕ（ｚは固溶量を示す）または（Ｓｉ，Ａｌ）6（Ｏ，Ｎ）8：Ｅｕにより表される物質である。本実施形態に係るβ−ＳｉＡｌＯＮには、付活剤として例えばＥｕ（ユーロピウム）が用いられており、それにより発光光である緑色光の色純度が特に高いものとされるので、ＬＥＤ２４の色度を調整する上で極めて有用である。一方、赤色蛍光体としては、カズン系蛍光体の一種であるカズンを用いるのが好ましい。カズン系蛍光体は、カルシウム原子（Ｃａ）、アルミニウム原子（Ａｌ）、ケイ素原子（Ｓｉ）、窒素原子（Ｎ）を含む窒化物であり、例えば硫化物や酸化物などからなる他の蛍光体に比べると、発光効率に優れるとともに耐久性に優れている。カズン系蛍光体は、付活剤として希土類元素（例えばＴｂ，Ｙｇ，Ａｇなど）が用いられる。カズン系蛍光体の一種であるカズンは、付活剤としてＥｕ（ユーロピウム）が用いられるとともに、組成式ＣａＡｌＳｉＮ3：Ｅｕにより示される。
【００３６】
（ＬＥＤ基板）
ＬＥＤ基板２５は、図６に示すように、平面に視て横長の方形状をなす基材を有しており、長辺方向がＸ軸方向と一致し、短辺方向がＹ軸方向と一致する状態でシャーシ２２内において底板２２ａに沿って延在しつつ収容されている。このＬＥＤ基板２５の基材の板面のうち、表側を向いた板面（光学部材２３側を向いた面）には、ＬＥＤ２４が表面実装されている。実装されたＬＥＤ２４は、その発光面が光学部材２３（液晶パネル１１）と対向状をなすとともに、その光軸がＺ軸方向、つまり液晶パネル１１の表示面と直交する方向と一致している。ＬＥＤ基板２５には、その長辺方向（Ｘ軸方向）に沿って複数（例えば、図６では１０個）のＬＥＤ２４が直線的に並んで配されるとともに、並列されたＬＥＤ２４に接続される配線パターン２５ｂ（図１１を参照）が形成されている。各ＬＥＤ２４の配列ピッチは、ほぼ一定となっており、つまり各ＬＥＤ２４は、Ｘ軸方向についてほぼ等間隔に配列されていると言える。
【００３７】
上記した構成のＬＥＤ基板２５は、図６に示すように、シャーシ２２内においてＸ軸方向及びＹ軸方向にそれぞれ複数ずつ、互いに長辺方向及び短辺方向を揃えた状態で並列して配置されている。つまり、ＬＥＤ基板２５及びそこに実装されたＬＥＤ２４は、シャーシ２２内において共にＸ軸方向（シャーシ２２及びＬＥＤ基板２５の長辺方向）を行方向とし、Ｙ軸方向（シャーシ２２及びＬＥＤ基板２５の短辺方向）を列方向として行列状に配置（マトリクス状に配置、平面配置）されている。具体的には、ＬＥＤ基板２５は、シャーシ２２内においてＸ軸方向（行方向）に２枚ずつ、Ｙ軸方向（列方向）に９枚ずつ、合計１８枚が行列状に並列して配置されている。ＬＥＤ基板２５は、Ｙ軸方向について配列ピッチがほぼ等しい等ピッチ配列とされており、言い換えるとほぼ等間隔に配されている。また、ＬＥＤ基板２５のうち基板保持部材２８の取付位置に対応する位置には、基板保持部材２８を通すための貫通孔２５ａが形成されている（図７及び図８）。
【００３８】
また、ＬＥＤ基板２５の基材は、合成樹脂材料（具体的には紙フェノールまたはガラスエポキシ樹脂など）からなるものとされ、その表面に金属膜（具体的には銅箔など）からなる配線パターン２５ｂが形成され、さらには最外表面には、光の反射性に優れた白色を呈する反射層（図示せず）が形成された構成とされる。なお、ＬＥＤ基板２５の基材に用いる材料としては、金属材料（例えばアルミニウムなど）を用いることも可能である。
【００３９】
（拡散レンズ）
拡散レンズ２７は、ほぼ透明で（高い透光性を有し）且つ屈折率が空気よりも高い合成樹脂材料（例えばポリカーボネートやアクリルなど）からなる。拡散レンズ２７は、図６及び図８に示すように、所定の厚みを有するとともに、平面に視て略円形状に形成されており、ＬＥＤ基板２５に対して各ＬＥＤ２４を表側から個別に覆うよう、つまり平面に視て各ＬＥＤ２４と重畳するようそれぞれ取り付けられている。そして、この拡散レンズ２７は、ＬＥＤ２４から発せられた指向性の強い光を拡散させつつ出射させることができる。つまり、ＬＥＤ２４から発せられた光は、拡散レンズ２７を介することにより指向性が緩和されるので、隣り合うＬＥＤ２４間の間隔を広くとってもその間の領域が暗部として視認され難くなる。これにより、ＬＥＤ２４の設置個数を少なくすることが可能となっている。この拡散レンズ２７は、平面に視てＬＥＤ２４とほぼ同心となる位置に配されている。なお、図７では、基板保持部材２８の断面構成を図示しているため、拡散レンズ２７については紙面奥側に配されたものの側面が図示されている。
【００４０】
（基板保持部材）
基板保持部材２８について説明する。基板保持部材２８は、ポリカーボネートなどの合成樹脂製とされており、表面が光の反射性に優れた白色を呈する。基板保持部材２８は、図６から図８に示すように、ＬＥＤ基板２５の板面に沿う本体部２８ａと、本体部２８ａから裏側、つまりシャーシ２２側に向けて突出してシャーシ２２に固定される固定部２８ｂとを備える。本体部２８ａは、平面に視て略円形の板状をなすとともに、シャーシ２２の底板２２ａとの間で少なくともＬＥＤ基板２５を挟持可能とされる。固定部２８ｂは、ＬＥＤ基板２５及びシャーシ２２の底板２２ａにおける基板保持部材２８の取付位置に対応してそれぞれ形成された挿通孔２５ａ及び取付孔を貫通しつつ底板２２ａに対して係止可能とされる。この基板保持部材２８は、図６に示すように、ＬＥＤ基板２５の面内において複数が適宜に分散配置されており、Ｘ軸方向について拡散レンズ２７（ＬＥＤ２４）に対して隣り合う位置に配されている。
【００４１】
なお、基板保持部材２８には、図６及び図８に示すように、本体部２８ａとシャーシ２２の底板２２ａとの間で反射シート２９の底部２９ａを介することなくＬＥＤ基板２５を挟持するもの（第１基板保持部材）と、本体部２８ａとシャーシ２２の底板２２ａとの間でＬＥＤ基板２５と共に反射シート２９の底部２９ａを挟持するもの（第２基板保持部材）との２種類が含まれている。このうち、ＬＥＤ基板２５と共に反射シート２９の底部２９ａを挟持する基板保持部材２８（第２基板保持部材）には、本体部２８ａから表側に突出する支持部２８ｃが設けられたものと、支持部２８ｃを有さないものとの２種類が含まれている。この支持部２８ｃは、光学部材２３（直接的には拡散板２３ａ）を裏側から支持することが可能とされ、それによりＬＥＤ２４と光学部材２３とのＺ軸方向の位置関係を一定に維持することができるとともに光学部材２３の不用意な変形を規制することができる。
【００４２】
（反射シート）
反射シート２９は、合成樹脂製とされ、表面が光の反射性に優れた白色を呈するものとされる。反射シート２９は、図６から図８に示すように、シャーシ２２の内面のほぼ全域にわたって敷設される大きさを有しているので、シャーシ２２内に並列して配された全ＬＥＤ基板２５を表側から一括して覆うことが可能とされる。この反射シート２９によりシャーシ２２内の光を光学部材２３側に向けて効率的に立ち上げることができる。反射シート２９は、シャーシ２２の底板２２ａに沿って延在するとともに底板２２ａの大部分を覆う大きさの底部２９ａと、底部２９ａの各外端から表側に立ち上がるとともに底部２９ａに対して傾斜状をなす４つの立ち上がり部２９ｂと、各立ち上がり部２９ｂの外端から外向きに延出するとともにシャーシ２２の受け板２２ｃに載せられる延出部２９ｃとから構成されている。この反射シート２９の底部２９ａが各ＬＥＤ基板２５における表側の面、つまりＬＥＤ２４の実装面に対して表側に重なるよう配される。また、反射シート２９の底部２９ａには、各拡散レンズ２７（各ＬＥＤ２４）と平面視重畳する位置に各拡散レンズ２７を挿通するレンズ挿通孔が開口して設けられている。
【００４３】
また、底部２９ａには、各基板保持部材２８と平面視重畳する位置に固定部２８ｂを通すための保持部材挿通孔が開口して設けられており、特に底部２９ａを介することなくＬＥＤ基板２５を保持する基板保持部材２８（第１基板保持部材）に対応する保持部材挿通孔については、その本体部２８ａをも通すことが可能な大きさとされている。これにより、シャーシ２２内に収容したＬＥＤ基板２５を予め上記基板保持部材２８（第１基板保持部材）によってシャーシ２２の底板２２ａに保持させることができ、その後反射シート２９をシャーシ２２内に敷設する際に、底部２９ａが上記基板保持部材２８（第１基板保持部材）の本体部２８ａに乗り上げることが回避される。なお、底部２９ａは、シャーシ２２内に敷設された後に取り付けられる基板保持部材２８（第２基板保持部材）によってＬＥＤ基板２５と共にシャーシ２２に保持されて浮きや撓みが生じ難いものとされる。
【００４４】
（液晶パネルの４原色化、及びカラーフィルタの着色部の面積比率を異ならせることの意義）
なお、既述した通り本実施形態に係る液晶パネル１１のカラーフィルタ１９は、図３及び図５に示すように、光の３原色である各着色部Ｒ，Ｇ，Ｂに加えて黄色の着色部Ｙを有しているので、透過光により表示される表示画像の色域が拡張されており、もって色再現性に優れた表示を実現できるものとされる。しかも、黄色の着色部Ｙを透過した光は、視感度のピークに近い波長を有することから、人間の目には少ないエネルギーでも明るく知覚される傾向とされる。これにより、バックライト装置１２が有するＬＥＤ２４の出力を抑制しても十分な輝度を得ることができることとなり、ＬＥＤ２４の消費電力を低減でき、もって環境性能にも優れる、といった効果が得られる。
【００４５】
その一方、上記のような４原色タイプの液晶パネル１１を用いると、液晶パネル１１の表示画像が全体として黄色味を帯び易くなる傾向とされる。これを回避するため、本実施形態に係るバックライト装置１２では、ＬＥＤ２４における色度が黄色の補色である青色気味に調整されており、それにより表示画像における色度を補正するようにしている。このこともあって、既述したようにバックライト装置１２が有するＬＥＤ２４は、主発光波長が青色の波長領域に存するものとされ、青色の波長領域に存する光の発光強度が最も高いものとされている。
【００４６】
上記のようにＬＥＤ２４における色度を調整するに際しては、その色度を白色から青色に近づけるほど、その発光光の輝度が低下する傾向にあることが本願発明者の研究により判明した。そこで、本実施形態においては、カラーフィルタ１９を構成する青色の着色部Ｂの面積比率を緑色の着色部Ｇ及び黄色の着色部Ｙよりも相対的に大きくするようにしており、それによりカラーフィルタ１９の透過光に、黄色の補色である青色光をより多く含ませることができる。これにより、表示画像の色度を補正すべくＬＥＤ２４の色度を調整する上で、ＬＥＤ２４の色度をそれほど青色気味に調整する必要がなくなり、もって色度調整に伴うＬＥＤ２４の輝度低下が抑制することが可能とされる。
【００４７】
さらには、本願発明者の研究によれば、４原色タイプの液晶パネル１１を用いると、液晶パネル１１の出射光のうち特に赤色光の明度が低下することが判明している。これは、４原色タイプの液晶パネル１１では、３原色タイプのものに比べると、１つの画素を構成するサブ画素が３つから４つに増加するため、個々のサブ画素の面積は減少し、それに起因して特に赤色光の明度が低下している、と推考される。そこで、本実施形態においては、カラーフィルタ１９を構成する赤色の着色部Ｒの面積比率を緑色の着色部Ｇ及び黄色の着色部Ｙよりも相対的に大きくするようにしており、それによりカラーフィルタ１９の透過光に赤色光をより多く含ませることができ、もってカラーフィルタ１９の４色化に伴って生じる赤色光の明度低下を抑制することができる。
【００４８】
（ＬＥＤ基板の給電回路）
続いて、ＬＥＤ基板２５の給電回路の概略について説明する。上記したようにシャーシ２２内に収容されたＬＥＤ基板２５に実装されている各ＬＥＤ２４には、図１１に示すように、シャーシ２２外に配されたＬＥＤ駆動回路基板３０からの電力が、各配線３１〜３３及び一対の給電基板（給電部材の一例）４３などを介して供給されることで、その駆動が制御されるようになっている。なお、ＬＥＤ駆動回路基板３０は、当該液晶表示装置１０の電力供給源である電源回路基板Ｐ（図１参照）に接続されるとともに電力の供給を受けるものとされている。
【００４９】
上記した各配線３１〜３３には、図９及び図１１に示すように、ＬＥＤ駆動回路基板３０の正極側と一方の給電基板４３（正極側給電基板４７）とを電気的に接続する正極側配線３１と、ＬＥＤ駆動回路基板３０の負極側と他方の給電基板４３（負極側給電基板４８）とを電気的に接続する負極側配線３２と、一対の給電基板４３（正極側給電基板４７及び負極側給電基板４８）同士を電気的に接続する中継配線３３とが含まれている。上記した給電基板４３には、正極側配線３１及び中継配線３３に電気的に接続される正極側給電基板４７と、負極側配線３２及び中継配線３３に電気的に接続される負極側給電基板４８とが含まれている。そして、シャーシ２２内においてＸ軸方向について隣り合う一対のＬＥＤ基板２５には、正極側給電基板４７が電気的に接続される正極側ＬＥＤ基板３４と、負極側給電基板４８が電気的に接続される負極側ＬＥＤ基板３５とが含まれている。つまり、ＬＥＤ基板２５は、Ｘ軸方向（水平方向）について図９及び図１１に示す左右に隣り合う一対のものが１つの組を構成しており、この組をなす正極側ＬＥＤ基板３４及び負極側ＬＥＤ基板３５上のＬＥＤ２４群が各配線３１〜３３及び各給電基板４７，４８によってＬＥＤ駆動回路基板３０に対して直列に接続されている。正極側ＬＥＤ基板３４及び負極側ＬＥＤ基板３５は、シャーシ２２内においてそれぞれＹ軸方向に沿って複数ずつ（図９では９つ）並んで配されており、９つの組を構成している。つまり、ＬＥＤ基板２５に対する給電回路は、Ｙ軸方向に沿って並ぶ各ＬＥＤ基板２５の組毎に独立しており、全部で９つの系統が存在している。その上で、正極側給電基板４７は、Ｙ軸方向に沿って並ぶ複数の正極側ＬＥＤ基板３４に対して一括して接続されるのに対し、負極側給電基板４８は、Ｙ軸方向に沿って並ぶ複数の負極側ＬＥＤ基板３５に対して一括して接続されている。なお、図９では、基板保持部材２８の図示を省略している。また、図１１では、シャーシ２２内においてＸ軸方向に沿って並ぶ一対で一組のＬＥＤ基板２５のみを代表して図示している。
【００５０】
（ＬＥＤ駆動回路基板）
ＬＥＤ駆動回路基板３０は、図１０に示すように、シャーシ２２の底板２２ａにおける裏側、つまりＬＥＤ基板２５が配された面とは反対側の面に取り付けられている。言い換えると、ＬＥＤ駆動回路基板３０は、ＬＥＤ基板２５との間でシャーシ２２の底板２２ａを表裏から挟み込んでいることになる。ＬＥＤ駆動回路基板３０には、後述する正極側配線３１の正極側電源基板用配線コネクタ３９が嵌合接続される正極側電源基板コネクタ３０ａと、負極側配線３２の負極側電源基板用配線コネクタ４０が嵌合接続される負極側電源基板コネクタ３０ｂとが設けられている。正極側電源基板コネクタ３０ａには、図１１に示すように、正極側電源端子部３０ｃが内蔵されているのに対し、負極側電源基板コネクタ３０ｂには、負極側電源端子部３０ｄが内蔵されている。これら正極側電源端子部３０ｃ及び負極側電源端子部３０ｄは、後述する正極側配線３１及び負極側配線３２と同数ずつ備えられており、その数は後述する給電回路の系統数（Ｙ軸方向に沿って並ぶＬＥＤ基板２５の組数）と一致している。さらには、ＬＥＤ駆動回路基板３０には、上記した正極側電源端子部３０ｃと負極側電源端子部３０ｄとの間に所定の電圧を付与することで、各ＬＥＤ基板２５が備えるＬＥＤ２４に直流電流を供給してこれらを駆動するＬＥＤ駆動部３０ｅが備えられている。このＬＥＤ駆動部３０ｅは、正極側電源端子部３０ｃ及び負極側電源端子部３０ｄの組（給電回路の系統）毎に異なる電圧を付与することが可能とされている。なお、ＬＥＤ駆動回路基板３０は、図１０に示すように、シャーシ２２において鉛直方向について上側に偏心した位置で、且つ水平方向について図１０に示す左側（後述する負極側ＬＥＤ基板３５側）に偏心した位置に配されている。
【００５１】
（配線挿通孔）
上記したＬＥＤ駆動回路基板３０及びＬＥＤ基板２５は、図９及び図１０に示すように、シャーシ２２の底板２２ａを挟んで互いに反対側に配されていることから、シャーシ２２の底板２２ａには、これらを接続する正極側配線３１及び負極側配線３２を通すための配線挿通孔３６が貫通形成されている。配線挿通孔３６は、シャーシ２２の底板２２ａにおける外縁部に一対配されており、詳しくは底板２２ａのうち鉛直方向の上側における両角部近傍にそれぞれ配されている。一対の配線挿通孔３６のうち、一方（図９に示す左側、図１０に示す右側）の配線挿通孔３６が正極側配線３１のみを挿通するのに対し、他方（図９に示す右側、図１０に示す左側）の配線挿通孔３６が負極側配線３２のみを挿通するものとされる。一対の配線挿通孔３６のうち正極側配線３１専用のものは、シャーシ２２の底板２２ａにおいて、Ｘ軸方向について正極側給電基板４７側の端部に配されているのに対し、負極側配線３２専用のものは、シャーシ２２の底板２２ａにおいて、Ｘ軸方向について負極側給電基板４８側の端部に配されている。
【００５２】
（配線保護部材及び配線保持部材）
さらには、底板２２ａには、配線挿通孔３６の孔縁を取り囲む形の配線保護部材３７が取り付けられている。配線保護部材３７は、合成樹脂製とされており、配線挿通孔３６の孔縁を全周にわたって覆うとともにその孔縁を表裏から挟み込むことでシャーシ２２に対して取り付け状態に保持されている。配線保護部材３７には、配線挿通孔３６と平面に視て重畳するとともに配線挿通孔３６よりも一回り小さな開口部３７ａが形成されており、各配線３１，３２はこの開口部３７ａを通されることで、シャーシ２２の内外を行き来することができる。また、シャーシ２２の底板２２ａには、各配線３１〜３３の配索経路上（シャーシ２２の外縁部）に位置するとともにそこに存在する各配線３１〜３３を束ねた状態に保持する配線保持部材３８が設けられている。配線保持部材３８は、合成樹脂製で開閉可能なバンド状をなしており、各配線３１〜３３の配索経路においてほぼ等間隔に複数分散配置され、シャーシ２２の外縁部に取り付けられている。配線保持部材３８は、シャーシ２２の底板２２ａの内面（ＬＥＤ基板２５が配された面）側と、外面（ＬＥＤ駆動回路基板３０が配された面）側とにそれぞれ配されている。
【００５３】
（各配線）
次に、各配線３１〜３３についてその概略を説明する。各配線３１〜３３は、図９に示すように、いずれも給電回路の系統数と同数本ずつの被覆電線を有しており、一纏めに束ねられた状態でシャーシ２２の外縁部に位置するよう配されている。詳しくは、各配線３１〜３３は、シャーシ２２内においては、長辺側の側板２２ｂと、長辺側の側板２２ｂに隣り合うＬＥＤ基板２５との間に保有されるＸ軸方向に沿った間隙を利用して配索されるとともに、反射シート２９における傾斜状をなす長辺側の立ち上がり部２９ｂによって全域にわたって表側から覆われている（図６及び図９を参照）。各配線３１〜３３のうち、正極側配線３１及び負極側配線３２は、シャーシ２２のうち図９に示す上側の外縁部に配されるのに対し、中継配線３３は、シャーシ２２のうち図９に示す下側、つまり正極側配線３１及び負極側配線３２とは反対側の外縁部に配されている。各配線３１〜３３の両端末には、それぞれ配線コネクタ３９〜４２，５２，５３が設けられており、これら各配線コネクタ３９〜４２，５２，５３が対応するＬＥＤ駆動回路基板３０の各電源基板コネクタ３０ａ，３０ｂまたは後述する給電基板４３の各配線用給電基板コネクタ４９〜５１に対して嵌合接続可能とされている。以下、各配線３１〜３３及び各配線コネクタ３９〜４２，５２，５３について個別に詳しく説明する。
【００５４】
（各配線コネクタ）
先に各配線コネクタ３９〜４２，５２，５３について説明する。正極側配線３１における一方の端末には、図１０に示すように、ＬＥＤ駆動回路基板３０における正極側電源基板コネクタ３０ａに嵌合接続される正極側電源基板用配線コネクタ３９が設けられている。正極側電源基板用配線コネクタ３９には、図１１に示すように、正極側配線３１の一端側に接続された正極側配線端子部３９ａが内蔵されており、この正極側配線端子部３９ａが正極側電源基板コネクタ３０ａ内の正極側電源端子部３０ｃに導通接触可能とされる。これに対して、負極側配線３２における一方の端末には、ＬＥＤ駆動回路基板３０における負極側電源基板コネクタ３０ｂに嵌合接続される負極側電源基板用配線コネクタ４０が設けられている。負極側電源基板用配線コネクタ４０には、負極側配線３２の一端側に接続された負極側配線端子部４０ａが内蔵されており、この負極側配線端子部４０ａが負極側電源基板コネクタ３０ｂ内の負極側電源端子部３０ｄに導通接触可能とされる。
【００５５】
正極側配線３１における他方の端末には、図９に示すように、正極側給電基板４７における一方の端部に設けられた正極配線用給電基板コネクタ４９に嵌合接続される正極側給電基板用正極配線コネクタ４１が設けられている。この正極側給電基板用正極配線コネクタ４１には、図１１に示すように、正極側配線３１の他端側に接続された正極側配線端子部４１ａが内蔵されており、この正極側配線端子部４１ａが正極配線用給電基板コネクタ４９内の正極側給電基板端子部４９ａに導通接触可能とされる。これに対して、負極側配線３２における他方の端末には、図９に示すように、負極側給電基板４８における一方の端部に設けられた負極配線用給電基板コネクタ５０に嵌合接続される負極側給電基板用負極配線コネクタ４２が設けられている。この負極側給電基板用負極配線コネクタ４２には、図１１に示すように、負極側配線３２の他端側に接続された負極側配線端子部４２ａが内蔵されており、この負極側配線端子部４２ａが負極配線用給電基板コネクタ５０内の負極側給電基板端子部５０ａに導通接触可能とされる。
【００５６】
中継配線３３における一方の端末には、図９に示すように、正極側給電基板４７における他方の端部に設けられた中継配線用給電基板コネクタ５１に嵌合接続される正極側給電基板用中継配線コネクタ５２が設けられている。この正極側給電基板用中継配線コネクタ５２には、図１１に示すように、中継配線３３の一端側に接続された第１中継配線端子部５２ａが内蔵されており、この第１中継配線端子部５２ａが中継配線用給電基板コネクタ５１内の正極側給電基板端子部５１ａに導通接触可能とされる。中継配線３３における他方の端末には、負極側給電基板４８における他方の端部に設けられた中継配線用給電基板コネクタ５１に嵌合接続される負極側給電基板用中継配線コネクタ５３が設けられている。この負極側給電基板用中継配線コネクタ５３には、図１１に示すように、中継配線３３の他端側に接続された第２中継配線端子部５３ａが内蔵されており、この第２中継配線端子部５３ａが中継配線用給電基板コネクタ５１内の負極側給電基板端子部５１ｂに導通接触可能とされる。
【００５７】
（給電基板）
ここで、給電基板４３の構成について説明する。給電基板４３は、図９に示すように、Ｙ軸方向、つまりＬＥＤ基板２５の組の並び方向に沿って延在する板状をなす給電基板本体４３ａを有しており、この給電基板本体４３ａがＬＥＤ基板２５と同様に合成樹脂材料（具体的には紙フェノールまたはガラスエポキシ樹脂など）からなる。給電基板本体４３ａは、Ｙ軸方向に沿って並列する全てのＬＥＤ基板２５を横切るとともにシャーシ２２における短辺方向についての内寸よりもやや短い程度の長さ寸法を有している。給電基板本体４３ａのうち、その延在方向（Ｙ軸方向）についての一方の端部（図９に示す上側の端部）には、正極配線用給電基板コネクタ４９または負極配線用給電基板コネクタ５０が設けられているのに対し、他方の端部（図９に示す下側の端部）には、中継配線用給電基板コネクタ５１が設けられている。給電基板本体４３ａは、ＬＥＤ基板２５のうちシャーシ２２の長辺方向の外側の端部に対して、シャーシ２２の長辺方向の中央寄りにずれた部分と平面に視て重畳する配置とされる。給電基板本体４３ａには、図１１に示すように、その表面に金属膜（具体的には銅箔など）からなる配線パターン４３ｂが形成されており、この配線パターン４３ｂは、給電回路の系統数（Ｙ軸方向に沿って並ぶＬＥＤ基板２５の組数）と同数が給電基板本体４３ａ上にて互いに電気的に独立する形で配索されている。この配線パターン４３ｂには、一端側に正極配線用給電基板コネクタ４９内の正極側給電基板端子部４９ａまたは負極配線用給電基板コネクタ５０内の負極側給電基板端子部５０ａが配されるのに対し、他端側に次述するコネクタ５４のカソード側端子部５４ｂまたはアノード側端子部５４ａが配される第１配線パターン４３ｂ１と、一端側にコネクタ５４のアノード側端子部５４ａまたはカソード側端子部５４ｂが配されるのに対し、他端側に中継配線用給電基板コネクタ５１内の負極側給電基板端子部５１ｂが配される第２配線パターン４３ｂ２とが含まれている。なお、給電基板４３の基材に用いる材料としては、金属材料（例えばアルミニウムなど）を用いることも可能である。
【００５８】
（コネクタ）
そして、給電基板本体４３ａのうちシャーシ２２の長辺方向の外側を向いた側面からは、図１２に示すように、Ｘ軸方向に沿って外向きに突出する形でコネクタ（凸状接続部、給電側接続部）５４が一体に設けられており、このコネクタ５４が次述するＬＥＤ基板２５に設けられた接続開口５５に嵌合接続される。コネクタ５４は、給電基板本体４３ａの延在方向（Ｙ軸方向）に沿って複数が間欠的に並んで配されており、その設置数がＹ軸方向に沿って並ぶＬＥＤ基板２５の並列数と同じ（９つ）とされるとともにその配置が各ＬＥＤ基板２５と平面に視て重畳するものとされる。つまり、コネクタ５４は、給電基板本体４３ａにおける配列間隔がＹ軸方向に沿って並ぶＬＥＤ基板２５間の配列間隔とほぼ一致している。従って、嵌合作業に際しては、給電基板４３を操作することで、各コネクタ５４を後述する各ＬＥＤ基板２５に配されたハウジング５７の各接続開口５５に対して一括して挿入して嵌合させることができ、それにより作業効率が良好なものとされる。
【００５９】
コネクタ５４は、図１３に示すように、その先端において中央部が凹んだ二股状とされており、一対の端子５６を有している。一対の端子５６の並び方向は、ＬＥＤ基板２５の板面に並行するとともにＬＥＤ基板２５の組における並び方向であるＹ軸方向と一致しており、接続開口５５との挿入される方向であるＸ軸方向とは直交（交差）している。一対の端子５６は、給電基板本体４３ａの側面からＸ軸方向に沿って突出するとともに、互いに並行している。一対の端子５６は、給電基板本体４３ａからの突出寸法、及び幅寸法（Ｙ軸方向についての寸法）が互いにほぼ同じ程度とされる。コネクタ５４には、図１１に示すように、給電基板本体４３ａ上の配線パターン４３ｂが延長形成されており、その端部に配されたアノード側端子部５４ａ及びカソード側端子部５４ｂが形成されている。詳しくは、コネクタ５４をなす一対の端子５６のうち、一方の端子５６がアノード側端子部５４ａとされ、他方の端子５６がカソード側端子部５４ｂとされている。このようにコネクタ５４の先端を二股状とし、一対の端子５６間に間隔（物理的な空間）を保有させる構成とすることで、各端子５６（アノード側端子部５４ａとカソード側端子部５４ｂ）の電気的な独立性を担保する上で好適となっている（図１３及び図１５を参照）。
【００６０】
（ハウジングと接続開口）
ＬＥＤ基板２５のうちシャーシ２２の長辺方向の外側の端部（Ｘ軸方向について隣り合うＬＥＤ基板２５側とは反対側の端部）には、図１２に示すように、上記した給電基板４３のコネクタ５４が嵌合接続されるハウジング５７が設けられている。ハウジング５７は、合成樹脂製とされ、図１３に示すように、全体としてブロック状をなしている。ハウジング５７は、内部に嵌合空間ＩＳを有するとともに、シャーシ２２の長辺方向の中央側、つまり給電基板４３側に向けて開口する接続開口５５と、嵌合空間ＩＳに臨む形で配される一対の端子金具５８と、ハウジング５７の外側面に取り付けられる固定金具５９とを有してなる。接続開口５５は、シャーシ２２の長辺方向の中央側（図１２から図１４に示す右側）に向けて開口するとともに、内部にコネクタ５４が嵌合される嵌合空間ＩＳを有しており、コネクタ５４をなす各端子５６を挿入可能な形状をなしている。接続開口５５に対してコネクタ５４が挿入される方向は、Ｘ軸方向と一致しており、接続開口５５に対してコネクタ５４がシャーシ２２の長辺方向の中央側から外側（図１２から図１４に示す左側）に向けて挿入されて嵌合されるようになっている。なお、以下では、「前後」について記載するときは、給電基板４３の挿入方向を「前側」から「後側」に向かう方向と称する。例えば、図１２から図１４では、図の右側が「前側」であり、図の右側が「後側」とされる。このように給電基板４３をＬＥＤ基板２５に対してシャーシ２２における中央側から組み付ける配置構成とすれば、ＬＥＤ基板２５とシャーシ２２の長辺方向についての外縁部との間に給電基板４３の配置スペースや給電基板４３の嵌合ストローク分の空間を空けておく必要がなくなるから、その分だけ当該液晶表示装置１０の狭額縁化を図ることができる。なお、ＬＥＤ基板２５において、接続開口５５と、接続開口５５とＸ軸方向について隣り合う拡散レンズ２７（ＬＥＤ２４）との間には、給電基板本体４３ａの幅寸法と、コネクタ５４の嵌合作業に必要な嵌合ストローク（給電基板本体４３ａからのコネクタ５４の突出寸法）とを足し合わせた程度の間隔が空けられており、それにより給電基板４３が拡散レンズ２７（ＬＥＤ２４）に干渉し難くなっている。
【００６１】
ブロック状をなすハウジング５７は、嵌合空間ＩＳを取り囲むよう略角筒状をなす周壁部５７ａと、周壁部５７ａにおける嵌合方向の後端部に連なる奥壁部５７ｂと、嵌合空間ＩＳを一対の端子５６に対応付けて区分する区画壁部５７ｃとを有しており、全体として略有底角筒状をなしている。周壁部５７ａは、図１６に示すように、ＬＥＤ基板２５に接する底壁部５７ａ１と、底壁部５７ａ１の幅方向の両端部から立ち上がる一対の側壁部５７ａ２と、一対の底壁部５７ａ２の立ち上がり端同士を結ぶとともに底壁部５７ａ１と対向状をなす天井壁部５７ａ３とからなる。奥壁部５７ｂは、周壁部５７ａと直交する壁面を有するとともに、その前側の壁面が嵌合空間ＩＳに臨む形で配されていてコネクタ５４の嵌合深さを規制することができる。区画壁部５７ｃは、周壁部５７ａにおける底壁部５７ａ２と天井壁部５７ａ３とにおける幅方向の略中央部同士を繋ぐ形で設けられており、その厚み寸法がコネクタ５４をなす一対の端子５６間の間隔よりも小さく設定されている。
【００６２】
ハウジング５７の周壁部５７ａを構成する一対の側壁部５７ａ２には、図１５及び図１７に示すように、固定金具５９を取り付けるための金具取付溝部５７ａ４がそれぞれ形成されている。固定金具５９は、図１５に示すように、断面形状がＬ字型をなしており、側壁部５７ａ２に並行する金具本体５９ａと、金具本体５９ａの端部からＹ軸方向に沿って外向きに突出するとともにＬＥＤ基板２５に接する固定部５９ｂとを有してなる。このうち金具本体５９ａが金具取付溝部５７ａ４に圧入されるのに対し、固定部５９ｂがＬＥＤ基板２５に対して半田付けされることで、接続開口５５をＬＥＤ基板２５に対して取り付け状態に固定することができる。
【００６３】
端子金具５８は、金属製とされており、図１４に示すように、底壁部５７ａ１、奥壁部５７ｂ及び天井壁部５７ａ３の各壁面に沿って延在するよう途中で屈曲された端子本体５８ａを有している。端子本体５８ａは、一端側が嵌合空間ＩＳ内に配されるとともにコネクタ５４に導通接触される給電基板側接触部５８ｂとされるのに対し、他端側が嵌合空間ＩＳ外に配されるとともにＬＥＤ基板２５の配線パターン２５ｂの端部に導通接触されるパターン側接触部５８ｃとされる。給電基板側接触部５８ｂは、端子本体５８ａのうち天井壁部５７ａ３に沿う部分を前端位置にて後側（図１４に示す左側）に折り返すよう屈曲させることで、断面形状が山形をなしており、弾性変形可能とされている。給電基板側接触部５８ｂは、端子本体５８ａのうち底壁部５７ａ１に沿う部分との間でコネクタ５４（端子５６）を弾性的に挟持することが可能とされる。ハウジング５７に収容される一対の端子金具５８のうち、一方の端子金具５８は、図１１に示すように、ＬＥＤ基板２５上に形成された配線パターン２５ｂのアノード側の端部に接続されるアノード側端子金具５８Ａとされるのに対し、他方の端子金具５８は、配線パターン２５ｂのカソード側の端部に接続されるカソード側端子金具５８Ｂとされる。なお、ＬＥＤ基板２５の配線パターン２５ｂは、ＬＥＤ基板２５の長辺方向（Ｘ軸方向）に沿って延在するとともに折り返し状をなしており、詳しくは接続開口５５のアノード側端子金具５８Ａとの接続箇所を起点にして延在する部分が隣り合うＬＥＤ２４を横切るとともに各ＬＥＤ２４のアノード側端子及びカソード側端子（共に図示は省略する）に接続されることで、これらＬＥＤ２４群を直列接続し、ＬＥＤ基板２５における接続開口５５とは反対側の端部に達したところで折り返されてから接続開口５５のカソード側端子金具５８Ｂへ向けて直線的に延在する形態とされている。
【００６４】
（側壁部と端子との関係）
ところで、ハウジング５７の周壁部５７ａを構成する一対の側壁部５７ａ２は、図１６に示すように、それぞれ嵌合空間ＩＳに対してＹ軸方向について隣接する配置とされるとともに、その厚み寸法が区画壁５７ｃと同じ程度、つまりコネクタ５４をなす一対の端子５６間の間隔よりも小さく設定されている。側壁部５７ａ２の厚み寸法と、一対の端子５６間の間隔とをこのような関係とすることで、ハウジング５７の機械的強度を十分に担保しつつも接続開口５５におけるＹ軸方向についての大きさを小型化することができるとともに、各端子５６をなすアノード側端子部５４ａとカソード側端子部５４ｂとの電気的な独立性を良好に保つことができる。ところが、側壁部５７ａ２の厚み寸法が一対の端子５６間の間隔よりも相対的に小さくなると、次の問題が生じることが懸念される。即ち、接続開口５５に対してコネクタ５４を挿入して嵌合する作業を行う際に、コネクタ５４が正規の位置からＹ軸方向について位置ずれした場合でも、一対の端子５６間に側壁部５７ａ２が入り込むことが可能とされているため、位置ずれした状態での嵌合が許容されるコネクタ５４の誤挿入が生じるおそれがある。仮に、このようなコネクタ５４の誤挿入が生じると、一方の端子５６がハウジング５７の嵌合空間ＩＳに嵌合されるのに対して、他方の端子５６が嵌合されることなくハウジング５７に対してＹ軸方向について外側に配される、といった事態が生じて接続不良となるおそれがあった。
【００６５】
（本実施形態の要部に係る構成についての説明）
そこで、本実施形態に係るシャーシ２２の底板２２ａ上には、図１３に示すように、接続開口５５を有するハウジング５７に対してコネクタ５４がＹ軸方向について正常ではない誤挿入が行われる場合（位置ずれする場合）に、接続開口５５へのコネクタ５４の挿入を規制する突出部材７０が設けられている。詳しくは、突出部材７０は、ハウジング５７に対してＹ軸方向の一方、つまりコネクタ５４をなす一対の端子５６の並列する方向の一方（本実施形態では図１３における上下方向のうち下方向）に隣接する形で配されている。これにより、一対の端子５６に、接続開口５５の嵌合空間ＩＳに嵌合され得る端子５６と、嵌合空間ＩＳに嵌合されない端子５６とが生じた場合には、突出部材７０が嵌合されない端子５６に干渉することで、コネクタ５４の嵌合を規制することができる。以下、突出部材７０の構成について詳しく説明する。
【００６６】
（突出部材）
突出部材７０は、図１３及び図１４に示すように、シャーシ２２の底板２２ａ上に設けられており、シャーシ２２の底板２２ａからＬＥＤ２４の光出射側（表側、液晶パネル１１の表示面１１ｃ側）に突出する形態とされている。突出部材７０は、ハウジング５７とＹ軸方向の一方（図１３の下方向）において隣接する形で設けられている。突出部材７０は、全体として円柱状をなしており、外周をなす側面７０ｂがＺ軸方向に真っ直ぐに延びるものとされ、その頂面７０ａがシャーシ２２の底板２２ａと平行なものとされている。突出部材７０は、ハウジング５７における接続開口５５側（シャーシ２２の中央側）寄りとなるような位置でハウジング５７と隣接している。従って、嵌合に際して、接続開口５５の嵌合空間ＩＳに嵌合され得る端子５６と、嵌合空間ＩＳに嵌合されない端子５６とが生じた場合、嵌合され得る端子５６が嵌合空間ＩＳに入る手前の段階で、嵌合されない端子５６が突出部材７０に干渉することで嵌合が規制されるようになっている。
【００６７】
突出部材７０は、図１３に示すように、側壁部５７ａ２の厚み寸法Ｗ３とハウジング５７からの距離Ｗ４との和が、一対の端子５６間の間隔Ｗ１と一方の端子５６の幅寸法Ｗ２との和よりも小さくなるような範囲で、ハウジング５７と隣接して設けられている。このように突出部材７０をハウジング５７と近接させるために、ＬＥＤ基板２５における突出部材７０と対向する部位には切り込み２５ｃが設けられている。切り込み２５ｃが設けられた部位はシャーシ２２の底板２２ａが露出した状態となっており、この露出する部位に突出部材７０が設けられている。上記のような距離で突出部材７０がハウジング５７と隣接することで、コネクタ５４がＹ軸方向の一方について位置ずれした場合、嵌合空間ＩＳに嵌合されない端子５６が確実に突出部材７０に突き当たるようになっている。また突出部材７０は、その直径が、一方の端子５６の幅寸法Ｗ２とほぼ同等の寸法とされている。これに加え、突出部材７０の形状が先細り状ではなく円柱状とされていることにより、嵌合空間ＩＳに嵌合されない端子５６が突出部材７０に突き当たったとしても、突出部材７０の強度を維持することができ、突出部材７０が破損することを防止ないし抑制できるものとされている。
【００６８】
突出部材７０は、図１４に示すように、その高さが接続開口５５の下端よりも高いものとされている。即ち、突出部材７０の頂面７０ａは、Ｚ軸方向において、接続開口５５の下端よりも表側に位置している。具体的には、突出部材７０の高さ寸法Ｈ１は、ＬＥＤ基板２５の厚み寸法Ｈ４と、ハウジング５７の底壁部５７ａ１の厚み寸法Ｈ３と、端子５６の厚み寸法Ｈ２との総和よりも大きいものとされている。以上により、コネクタ５４がＹ軸方向について位置ずれした場合、嵌合空間ＩＳに嵌合されない端子５６が突出部材７０に対してＺ軸方向についてほぼ全域にわたって突き当たる、つまり、突出部材７０の側面７０ｂと突き当たるようになっており、さらにはコネクタ５４がＺ軸方向について位置ずれした場合でも、嵌合空間ＩＳに嵌合されない端子５６が突出部材７０に対して突き当たるようになっている。
【００６９】
上記した構成の突出部材７０は、図９に示すように、シャーシ２２内においてそのＸ軸方向の一方の端部側にＹ軸方向に沿って並んで配された複数（９つ）のハウジング５７の全てについて、そのハウジング５７と隣接した形で１つずつ設けられている。また突出部材７０は、シャーシ２２内においてそのＸ軸方向の他方の端部側にＹ軸方向に沿って並んで配された複数（９つ）のハウジング５７の全てについても、そのハウジング５７と隣接した形で１つずつ設けられている。
【００７０】
（本実施形態の要部に係る作用及び効果についての説明）
上記した構成を有するバックライト装置１２を組み付けるに際しては、まず、予め絞り加工を施すことで突出部材７０が設けられたシャーシ２２を用意する。このシャーシ２２内にＬＥＤ２４が実装された各ＬＥＤ基板２５を、それらの長辺方向（Ｘ軸方向）の端部に設けられたハウジング５７と突出部材７０とが隣接するように収容するとともに、所定の位置に位置合わせしつつ基板保持部材２８（第１基板保持部材）によって各ＬＥＤ基板２５を底板２２ａに対して取り付け状態に保持する（図７及び図８を参照）。なお、配線保護部材３７については、予めシャーシ２２の配線挿通孔３６の孔縁に取り付けるようにしておく。
【００７１】
シャーシ２２内に全てのＬＥＤ基板２５を取り付け終えたら、続いて給電基板４３の組み付け作業を行う。一対の給電基板４３のうち、正極側給電基板４７については、各コネクタ５４を各正極側ＬＥＤ基板３４の各接続開口５５に、負極側給電基板４８については、各コネクタ５４を各負極側ＬＥＤ基板３５の各接続開口５５にそれぞれ嵌合接続する。嵌合に際しては、給電基板４３を、各接続開口５５群に対してシャーシ２２の長辺方向（Ｘ軸方向）についての中央側に一旦配置し、給電基板４３が有する各コネクタ５４を、各接続開口５５に対してＹ軸方向及びＺ軸方向について位置合わせしつつ、給電基板４３をＸ軸方向に沿って外向きにスライドさせる。このとき、各コネクタ５４を構成する各端子５６が、各接続開口５５の各嵌合空間ＩＳに全て整合していれば、図１３から図１５に示すように、各端子５６が各接続開口５５の各嵌合空間ＩＳに一括して嵌合される。このように、給電基板４３の組み付け作業を行うことで、Ｙ軸方向に沿って並んだＬＥＤ基板側コネクタ５５群に対して同様に並列するコネクタ５４群を一纏めにして嵌合させることができるから、作業効率が極めて良好なものとなっている。この嵌合時には、各端子５６は、各端子金具５８の給電基板側接触部５８ｂと端子本体５８ａのうち底壁部５７ａ１に沿う部分との間にそれぞれ弾性的に挟持される。この状態では、コネクタ５４を構成する一対の端子５６のうち、一方の端子５６に形成されたアノード側端子部５４ａが、一対の端子金具５８のうちのアノード側端子金具５８Ａに、他方の端子５６に形成されたカソード側端子部５４ｂが、一対の端子金具５８のうちのカソード側端子金具５８Ｂにそれぞれ弾性接触されることで、それぞれの導通が図られる。
【００７２】
上記した給電基板４３の組み付け作業を行うに際しては、給電基板４３に設けられた各コネクタ５４を、各接続開口５５に対してＹ軸方向及びＺ軸方向について位置合わせする必要があるのだが、常に正確に位置合わせできるとは限らず、位置関係が正常でないまま嵌合作業を行う場合もあり得る。特に、コネクタ５４は、Ｙ軸方向に沿って複数並んで配されるとともに、コネクタ５４を構成する一対の端子５６の並び方向もＹ軸方向と一致していることから、各端子５６を各コネクタ５４の各嵌合空間ＩＳに対してＹ軸方向について整合させるのが難しくなっており、給電基板４３がＹ軸方向について位置ずれしたまま嵌合作業を行う事態が生じ易くなっている。
【００７３】
例えば、給電基板４３の各コネクタ５４が各接続開口５５に対してＹ軸方向について図１３に示す下側に位置ずれし、同図上側の端子５６が、同図下側の嵌合空間ＩＳに対して整合するものの、同図下側の端子５６が、嵌合空間ＩＳとは整合せずに接続開口５５に対してＹ軸方向について同図上側の外部に配置された場合には、嵌合作業を進行させると、嵌合されない下側の端子５６が、突出部材７０に突き当たることで、嵌合動作が規制される。このように、給電基板４３がＹ軸方向について一方側に位置ずれした場合に、突出部材７０が嵌合されない端子５６に干渉して嵌合を規制することができる。
【００７４】
この突出部材７０は、嵌合されない端子５６が突き当たる側面７０ｂがハウジング５７の接続開口５５側と隣接していることから、嵌合され得る端子５６が嵌合空間ＩＳに入る手前の段階で嵌合動作を規制することができる。これにより、嵌合され得る端子５６の一部（先端部）が嵌合空間ＩＳに嵌合される、いわゆる半嵌合状態が生じるのが回避されるので、作業者は嵌合が正常に行われなかったことを容易に判別することができる。しかも、突出部材７０は、Ｙ軸方向に沿って並列する複数の接続開口５５における全てに設けられていることから、給電基板４３がＹ軸方向について位置ずれした場合には、各コネクタ５４における嵌合されない端子５６の全てが、各接続開口５５の各突出部材７０に対して干渉するようになっており、各突出部材７０（各端子５６）に作用する応力を緩和することができる。これにより、各突出部材７０（各端子５６）が損傷を受け難くなるとともに、嵌合規制機能をより確実に発揮させることができる。上記のように作業者が誤嵌合が生じたと判別した場合には、改めて嵌合作業を行うことで、各コネクタ５４を、各接続開口５５に対して正常に挿入して嵌合させることができる。なお、次述する各配線３１〜３３の組み付け作業を上記した給電基板４３の組み付け作業に先立って行うことも可能である。
【００７５】
一方、各配線３１〜３３については、予めワイヤハーネス化しておき、その端末に各配線コネクタ３９〜４２，５２，５３をそれぞれ設けるようにしておく。ワイヤハーネス化した配線３１〜３３の束は、全体をシャーシ２２内に収容するものの、正極側配線３１及び負極側配線３３に接続された各電源基板用配線コネクタ３９，４０についてはそれぞれ対応する各配線挿通孔３６を通してシャーシ２２の裏側外部へと導出させておく（図１０を参照）。シャーシ２２内において、各配線３１〜３３の束をシャーシ２２の各長辺側の外縁部に沿って配索したら、その配索経路上に配された配線保持部材３８によって配線３１〜３３の束を保持するとともに、その束から各給電基板用正極配線コネクタ４１，４２及び各給電基板用中継配線コネクタ５２，５３を対応する各給電基板４７，４８側に引き出しておく（図９参照）。そして、引き出した正極側給電基板用正極配線コネクタ４１を、正極側給電基板４７の正極配線用給電基板コネクタ４９に、負極側給電基板用正極配線コネクタ４２を、負極側給電基板４８の負極配線用給電基板コネクタ５０に、正極側給電基板用中継配線コネクタ５２を、正極側給電基板４７の中継配線用給電基板コネクタ５１に、負極側給電基板用中継配線コネクタ５３を、負極側給電基板４８の中継配線用給電基板コネクタ５１に対してそれぞれ嵌合接続する（図９参照）。なお、上記した作業の手順は適宜に変更可能であり、例えば各コネクタ３９〜４２，５２，５３の嵌合作業を行ってから、配線保持部材３８による配線３１〜３３の保持を行うようにしても構わない。
【００７６】
図９に示すように、給電基板４３の組み付け作業、及びシャーシ２２内における各配線３１〜３３の配索作業（各コネクタ３９〜４２，５２，５３の嵌合作業）を終えたら、続いてシャーシ２２内に反射シート２９を敷設する作業を行う。このとき、反射シート２９の底部２９ａにおける各レンズ挿通孔に各拡散レンズ２７（ＬＥＤ２４）を位置合わせしつつ挿通させるとともに、各延出部２９ｃを各受け板２２ｃに載せるようにする。反射シート２９を敷設すると、給電基板４３、接続開口５５及び各配線３１〜３３などが反射シート２９によって覆われる。このため、反射シート２９の敷設作業を行った後には、各コネクタ５４及び各接続開口５５を作業者が外部から目視により確認することができなくなる。その点、本実施形態では、給電基板４３の組み付け作業を行う際に、コネクタ５４をなす一方の端子５６が接続開口５５の嵌合空間ＩＳに嵌合されるものの、他方の端子５６が嵌合空間ＩＳに嵌合されない、という誤嵌合が規制部６０によって防がれているから、反射シート２９を敷設した後に例えば通電検査などによって初めて誤嵌合が発覚するといった事態を防ぐことができる。このため、作業効率及び生産性に極めて優れている。
【００７７】
反射シート２９を敷設したら、続いて基板保持部材（第２基板保持部材）２８を取り付けることで、底部２２ａをＬＥＤ基板２５と共にシャーシ２２の底板２２ａに対して共締めする。その後、シャーシ２２の光出射部を覆うようにして各光学部材２３を延出部２９ｃ上に載置する。なお、シャーシ２２の裏側の組み付けに関しては、図１０に示すように、底板２２ａの裏側における所定の位置にＬＥＤ駆動回路基板３０を取り付けるとともに、その正極側電源基板コネクタ３０ａに対して正極側配線３１の端末に配された正極側電源基板用配線コネクタ３９を、負極側電源基板コネクタ３０ｂに対して負極側配線３２の端末に配された負極側電源基板用配線コネクタ４０をそれぞれ嵌合接続する。このようにしてバックライト装置１２が製造される。バックライト装置１２には、フレーム２６、液晶パネル１１及びベゼル１３が順次に組み付けられることで、液晶表示装置１０が製造される。
【００７８】
上記のようにして製造された液晶表示装置１０の電源をＯＮすると、バックライト装置１２に備えられたＬＥＤ駆動回路基板３０から各ＬＥＤ基板２５に電力が供給されることで、各ＬＥＤ２５が点灯されるとともに、図示しない表示制御回路基板により液晶パネル１１の駆動が制御され、それにより液晶パネル１１の表示面に所定の画像が表示されるようになっている。ここで、ＬＥＤ基板２５の給電回路の作用に関して詳しく説明する。
【００７９】
ＬＥＤ駆動回路基板３０から出力される駆動電力は、図１１に示すように、正極側配線３１及び正極側給電基板４７を介して正極側ＬＥＤ基板３４に供給されてから、正極側給電基板４７、中継配線３３及び負極側給電基板４８を介して同じ組をなす負極側ＬＥＤ基板３５に供給される。つまり、同じ組をなす正極側ＬＥＤ基板３４及び負極側ＬＥＤ基板３５に複数ずつ実装された各ＬＥＤ２４は、互いに直列接続されているので、供給される電圧の値に応じてほぼ同一の輝度にて点灯される。そして、本実施形態におけるバックライト装置１２においては、ＬＥＤ基板２５の組毎に給電回路が独立していることから、各組毎に供給する電圧の大きさを自由に設定することが可能とされる。なお、全ての組において供給する電圧の大きさを異ならせて、各組毎にＬＥＤ２４の輝度を異ならせることができ、また複数の組毎に供給する電圧の大きさ並びにその組に属するＬＥＤ２４の輝度を異ならせることができ、さらには全ての組において電圧の大きさ並びにＬＥＤ２４の輝度を同一にすることもできる。
【００８０】
以上のように本実施形態に係るバックライト装置１２では、突出部材７０が２つの端子５６の並列する方向においてハウジング５７と隣接しているとともに、接続開口５５において端子５６が挿入される高さよりも高い位置まで突出している。このため、２つの端子５６のうち一方のみが接続開口５５に挿入された場合に、接続開口５５に挿入されなかった他方の端子５６が突出部材７０と当接し易いものとなる。他方の端子５６が突出部材７０と当接すると、２つの端子５６のうち一方のみがハウジング５７の接続開口５５に挿入されるような誤挿入が防止されるので、コネクタ５４の誤挿入に伴う接続不良を防止することができる。
【００８１】
また、本実施形態に係るバックライト装置１２では、突出部材７０が円柱状をなしている。これにより、突出部材７０が先細り状とされている場合に比して突出部材７０の剛性を高いものとすることができる。このため、端子５６と当接することで突出部材７０が破損することを防止ないし抑制することができる。
【００８２】
また、本実施形態に係るバックライト装置１２では、ハウジングがＬＥＤ基板２５の長辺方向の一方の端部に設けられている。そして、接続開口が、その開口がＬＥＤ基板２５の長辺方向の他方の端部側に向けられた形とされている。このため、給電基板４３に設けられたコネクタ５４をハウジング５７の接続開口５５に挿入する際に、ＬＥＤ基板２５上に配されたＬＥＤ２４が邪魔になり難いものとすることができる。さらに、コネクタ５４を有する給電基板が、ＬＥＤ基板２５の外側に配されるのではなく、ＬＥＤ基板２５の一部と重畳する位置に配されることとなるので、底板２２ａの省スペース化を図ることができ、その結果、バックライト装置１２の狭額縁化を図ることができる。
【００８３】
また、本実施形態に係るバックライト装置１２では、ＬＥＤ基板２５における突出部材７０と対向する部位に切り込み２５ｃが設けられている。このようにＬＥＤ基板２５に切り込み２５ｃを設けることで、突出部材７０をハウジング５７に対して一層近接させて設けることができるので、２つの端子５６のうち一方のみが接続開口５５に挿入された場合に、接続開口５５に挿入されなかった他方の端子５６が突出部材と一層当接し易いものとすることができる。
【００８４】
また、本実施形態に係るバックライト装置１２では、ハウジング５７が頂面５７ａを有する箱状をなしている。そして、突出部材７０の突出する高さがハウジング５７の頂面５７ａの高さよりも低いものとされている。これにより、ハウジング５７をＬＥＤ基板２５に設け易いものとすることができるとともに、給電基板４３やＬＥＤ基板２５を反射シート２９等で覆う場合にハウジング５７や突出部材７０が邪魔になり難いものとすることができる。
【００８５】
＜実施形態２＞
図面を参照して実施形態２を説明する。この実施形態２では、突出部材１７０の配置態様を変更したものを示す。なお、上記した実施形態１と同様の構造、作用及び効果について重複する説明は省略する。
【００８６】
実施形態２に係るバックライト装置では、図１７に示すように、ハウジング１５７と隣接するようにハウジング１５７の両側に一対の突出部材１７０が設けられている。このようにハウジング１５７の両側に突出部材１７０が設けられることで、例えば、給電基板１４３の各コネクタ１５４が各接続開口１５５に対してＹ軸方向について図１７に示す上側に位置ずれし、同図下側の端子１５６が、同図上側の嵌合空間ＩＳに対して整合するものの、同図上側の端子１５６が、嵌合空間ＩＳとは整合せずに接続開口１５５に対してＹ軸方向について同図上側の外部に配置された場合には、嵌合作業を進行させると、嵌合されない上側の端子１５６が、上側の突出部材１７０に突き当たることで、嵌合動作が規制される。上記とは逆に、給電基板１４３の各コネクタ１５４がＹ軸方向について図１７に示す下側に位置ずれした場合、実施形態１と同様に、嵌合されない下側の端子１５６が、下側の突出部材１７０に突き当たることで、嵌合動作が規制される。このように、シャーシ１２２の底板１２２ａには、Ｙ軸方向についてハウジング１５７の両側に隣接する形で一対の突出部材１７０が設けられているから、給電基板１４３がＹ軸方向について一方側と他方側とのどちらに位置ずれした場合でも、一対の突出部材１７０のいずれかが嵌合されない端子１５６に干渉して嵌合を規制することができる。このように接続開口１５５に挿入されなかった他方の端子１５６を突出部材１７０と確実に当接させることができ、コネクタ１５４の誤挿入を一層防止することができる。
【００８７】
＜実施形態３＞
図面を参照して実施形態３を説明する。この実施形態３では、突出部材２７０の形状を変更したものを示す。なお、上記した実施形態１と同様の構造、作用及び効果について重複する説明は省略する。
【００８８】
本実施形態にバックライト装置では、図１８及び図２０に示すように、突出部材２７０がシャーシ２２２の底板２２２ａ上から表側に突出するとともに、Ｙ軸方向に折り返されてＬＥＤ基板２２５の表面と当接した構成とされている。具体的には、突出部材２７０は、底板２２２ａから表側へ立ち上がる立ち上がり部２７０ｂと、立ち上がり部２７０ｂの表側先端からＹ軸方向に折り返されてなる折り返し部２７０ａと、から構成されている。ＬＥＤ基板２２５における折り返し部２７０ａと当接する部位は、他の部位よりも外側へ張り出した張り出し部２２５ｄとされている。立ち上がり部２７０ｂはＬＥＤ基板２２５の張り出し部２２５ｄの外側から表側に延びており、ＬＥＤ基板２２５の表面と同じ高さでＹ軸方向内側（ハウジング２５７へ向かう側）へ折り返されている。折り返し部２７０ａは、その先端がハウジング２５７と近接する距離（実施形態１におけるハウジング５７と突出部材７０との距離と等しい距離）まで延出している。また、折り返し部２７０ａの表面の高さは、実施形態１と同様に、接続開口２５５の下端よりも高いものとされている。このため、給電基板２４３の各コネクタ５４が各接続開口２５５に対してＹ軸方向について図１８に示す下側に位置ずれし、同図上側の端子２５６が、同図下側の嵌合空間ＩＳに対して整合するものの、同図下側の端子２５６が、嵌合空間ＩＳとは整合せずに接続開口２５５に対してＹ軸方向について同図上側の外部に配置された場合には、嵌合作業を進行させると、嵌合されない下側の端子２５６が、突出部材２７０に突き当たることで、嵌合動作が規制される。このように、実施形態１と同様に、給電基板２４３がＹ軸方向について一方側に位置ずれした場合に、突出部材２７０が嵌合されない端子２５６に干渉して嵌合を規制することができる。
【００８９】
また、突出部材２７０の折り返し部２７０ａがＬＥＤ基板２２５の張り出し部２２５ｄと当接していることから、張り出し部２２５ｄの表側が折り返し部２７０ａによって規制されたものとなっている。このような構成とされていると、例えば、ＬＥＤ２２４の熱等によってＬＥＤ基板２２５における張り出し部２２５ｄの近傍に表側へ反るような力が加わった場合であっても、折り返し部２７０ａによって規制され、張り出し部２２５ｄの近傍が表側（ＬＥＤ２２７の光出射側）へ撓むことが防止ないし抑制される。これに伴い、ＬＥＤ基板２２５の端部に設けられたハウジング２５７のＺ軸方向における位置がＬＥＤ基板２２５の撓みによって変動することも防止ないし抑制されるから、例えばＬＥＤ２２４の点灯後において再び接続開口２５５からコネクタ２５４を抜き差しする場合に、良好な作業性を維持することができる。
【００９０】
なお、実施形態３に係るハウジング２５７では、端子金具２５８が、ハウジング２５７における天井壁部２５７ａ３の内壁面に沿って延在するとともに側壁部２５７ａ２を貫通する端子本体２５８ａと、端子本体２５８ａの前端部から後側へ向けて折り返されてなる給電基板側接触部２５８ｂと、端子本体２５８ａのうちハウジング２５７外に突き出した端部から側壁部２５７ａ２の外側面（Ｚ軸方向）に沿って裏側（ＬＥＤ基板２２５側）に向けて延出してからＬＥＤ基板２２５の板面（Ｙ軸方向）に沿って外向きに延出してＬＥＤ基板２２５に接するパターン側接触部２５８ｃとを有している。なお、この端子金具２５８は、ハウジング２５７に対してインサート成形により一体化されている。
【００９１】
端子本体２５８ａは、その大部分がハウジング２５７内に配されているものの、一部がＹ軸方向に沿って側壁部２５７ａ２を貫通してハウジング２５７外に突き出している。給電基板側接触部２５８ｂは、ハウジング２５７の底壁部２５７ａ１との間に嵌合空間ＩＳを有する形で配されており、底壁部２５７ａ１との間で端子２５６を弾性的に挟持可能とされる。パターン側接触部２５８ｃは、正面から視て断面略Ｌ字型をなしており、ＬＥＤ基板２２５に接する部分が半田付けされることで、ＬＥＤ基板２２５の配線パターン（図示せず）に対する電気的な接続が図られるとともに、ＬＥＤ基板側コネクタ２５５をＬＥＤ基板２２５に対して機械的に固定することができる。つまり、パターン側接触部２５８ｃは、ＬＥＤ基板２２５に対してハウジング２５７を固定する機能を兼用している、と言える。
【００９２】
＜実施形態４＞
図面を参照して実施形態４を説明する。この実施形態４では、ＬＥＤ基板３２５の端部を二股形状とし、中継コネクタに個別嵌合する構成としたものを示す。なお、上記した実施形態１と同様の構造、作用及び効果について重複する説明は省略する。
【００９３】
実施形態４に係るバックライト装置では、上記した実施形態１〜３に示した給電基板及び各配線に代えて中継コネクタ（給電部材の一例）３６３を用いることで、ＬＥＤ駆動回路基板３３０からの駆動電力をＬＥＤ基板３２５（ＬＥＤ３２４）に供給するようにしている。中継コネクタ３６３は、図２２に示すように、シャーシ３２２の底板３２２ａを内外に貫通する形で取り付けられるハウジング３５７を有しており、ハウジング３５７のうちシャーシ３２２内に配される部分がＬＥＤ基板３２５を嵌合可能なＬＥＤ基板側嵌合部３５７ａとされるのに対し、シャーシ３２２外に配される部分がＬＥＤ駆動回路基板３３０を嵌合可能な駆動回路基板側嵌合部３５７ｂとされる。ＬＥＤ基板側嵌合部３５７ａ及び駆動回路基板側嵌合部３５７ｂは、それぞれその内部に嵌合空間ＩＳ１，ＩＳ２を有するとともに、シャーシ３２２の長辺方向の中央側に向けて開口する接続開口３５５を有している。ハウジング３６４には、両嵌合空間ＩＳ１，ＩＳ２間を仕切る形で隔壁３５７ｃが設けられるとともに、この隔壁３６４ｃを貫通することで、両嵌合空間ＩＳ１，ＩＳ２に臨んで配される端子金具３６５がインサート成形により一体化されている。端子金具３６５は、隔壁３６４ｃを貫通してＬＥＤ基板側嵌合部３５７ａと駆動回路基板側嵌合部３５７ｂとに跨る形で配される端子本体３６５ａと、端子本体３６５ａのうちＬＥＤ基板側嵌合部３６４ａ側の端部に設けられるＬＥＤ基板側接触部３６５ｂと、端子本体３６５ａのうち駆動回路基板側嵌合部３５７ｂの端部に設けられる駆動回路基板側接触部３６５ｃとからなる。ＬＥＤ基板側接触部３６５ｂ及び駆動回路基板側接触部３６５ｃは、共に断面形状が山形をなしており、弾性変形可能とされている。ＬＥＤ基板側嵌合部３５７ａの第１嵌合空間ＩＳ１は、ＬＥＤ基板側接触部３６５ｂと隔壁３５７ｃとの間に有されるのに対し、駆動回路基板側嵌合部３５７ｂの第２嵌合空間ＩＳ２は、駆動回路基板側接触部３６５ｃと隔壁３５７ｃとの間に有される。また、端子金具３６５は、ハウジング３５７内において一対がＹ軸方向に沿って並んで配されている。
【００９４】
ＬＥＤ基板側嵌合部３５７ａの第１嵌合空間ＩＳ１を有する接続開口３５５には、ＬＥＤ基板３２５に設けられたコネクタ３５４がＸ軸方向に沿って挿入可能とされている。本実施形態に係るコネクタ３５４は、ＬＥＤ基板３２５における長さ方向についての一端部を二股状とすることで、一対の端子３５６を有してなるものとされる。一対の端子３５６は、ＬＥＤ基板３２５上の配線パターンの端部に配されたアノード側端子部及びカソード側端子部（配線パターン共々図示せず）からなっており、第１嵌合空間ＩＳ１に嵌合されると、各端子部が各端子金具３６５のＬＥＤ基板側接触部３６５ｂに対して弾性接触されるようになっている。一方、駆動回路基板側嵌合部３５７ｂの第２嵌合空間ＩＳ２を有する接続開口３５５には、ＬＥＤ駆動回路基板３３０に設けられるとともに凸状をなす駆動回路基板側コネクタ部３６６がＸ軸方向に沿って挿入されて嵌合されるようになっている。駆動回路基板側コネクタ部３６６は、ＬＥＤ駆動回路基板３３０におけるＸ軸方向についての一端部に設けられている。駆動回路基板側コネクタ部３６６には、ＬＥＤ駆動回路基板３３０上の配線パターンの端部に配された正極側電源端子部及び負極側電源端子部（図示せず）が設けられており、第２嵌合空間ＩＳ２に嵌合されると、各端子部が各端子金具３６５の駆動回路基板側接触部３６５ｃに対して弾性接触されるようになっている。
【００９５】
上記した構成の中継コネクタ３６３は、実施形態１と同様、ＬＥＤ基板３２５と同様にシャーシ３２２内においてＹ軸方向に沿って複数が並んで配されており、それぞれのＬＥＤ基板側嵌合部３５７ａの接続開口３５５に対して各ＬＥＤ基板３２５のコネクタ３５４が個別に嵌合接続されるようになっている。
【００９６】
各中継コネクタ３６３をなすハウジング３５７には、そのハウジング３５７と隣接して突出部材３７０が設けられている。突出部材３７０の配置、構成は実施形態１のものと同様であるが、本実施形態では、ＬＥＤ基板３２５の一部ではなく、突出部材３７０と対向するハウジング３５５の側壁部に切り込み３５７ｄが設けられている、切り込み３５７ｄが設けられた部位はシャーシ３２２の底板３２２ａが露出した状態となっており、この露出する部位に突出部材３７０の一部が配された形となっている。このような構成とされている場合であっても、ＬＥＤ基板３４３の各コネクタ３５４が各接続開口３５５に対してＹ軸方向について図２１に示す下側に位置ずれし、同図上側の端子３５６が、同図下側の嵌合空間ＩＳに対して整合するものの、同図下側の端子３５６が、嵌合空間ＩＳ１，ＩＳ２とは整合せずに接続開口３５５に対してＹ軸方向について同図上側の外部に配置された場合には、嵌合作業を進行させると、嵌合されない下側の端子３５６が、突出部材３７０に突き当たることで、嵌合動作が規制される。このように、実施形態１と同様に、ＬＥＤ基板３４３がＹ軸方向について一方側に位置ずれした場合に、一対の突出部材３７０が嵌合されない端子３５６に干渉して嵌合を規制することができる。
【００９７】
＜実施形態５＞
図面を参照して実施形態５を説明する。この実施形態５では、ＬＥＤ基板４２５に対する給電基板４４３の配置及び突出部材４７０の形状を変更したものを示す。なお、上記した実施形態１と同様の構造、作用及び効果について重複する説明は省略する。
【００９８】
本実施形態に係るバックライト装置では、給電基板４４３が、図２３に示すように、ＬＥＤ基板４２５に対してシャーシ４２２における長辺方向の端側から組み付けられる構成とされ、その組み付けに伴って各コネクタ４５４が各ＬＥＤ基板４２５に設けられたハウジング４５７の接続開口４５５に対してシャーシ４２２の長辺方向の端側から中央側に向けて嵌合されるようになっている。接続開口４５５は、シャーシ４２２の長辺方向の端側に向けて開口しており、内部に嵌合空間（図示せず）を有している。給電基板４４３は、その給電基板本体４４３ａが各ＬＥＤ基板４２５とは平面に視て非重畳とされており、各ＬＥＤ基板４２５に対してシャーシ４２２の長辺方向についての端側に隣り合う位置に配されている。このように給電基板４４３をＬＥＤ基板４２５に対してシャーシ４２２における端側から組み付ける配置構成とすれば、ＬＥＤ基板側コネクタ４５５と、Ｘ軸方向について隣り合う拡散レンズ４２７（ＬＥＤ）との間の間隔を狭くすることができる。
【００９９】
また、本実施形態に係るバックライト装置では、図２４及び図２５に示すように、突出部材４７０がシャーシ４２２の底板４２２上から表側に突出するとともに、Ｘ軸方向に折り返されてＬＥＤ基板４２５の表面と当接した構成とされている。具体的には、突出部材４７０は、底板４２２ａから表側へ立ち上がる立ち上がり部４７０ｂと、Ｘ軸方向に折り返されてなる折り返し部４７０ａと、から構成されている。ＬＥＤ基板４２５における折り返し部４７０ａと当接する部位は、他の部位よりも外側へ張り出した張り出し部４２５ｄとされている。立ち上がり部４７０ｂはＬＥＤ基板４２５の張り出し部４２５ｄの外側（シャーシ４２２の外側）から表側に延びており、ＬＥＤ基板４２５の表面と同じ高さでＸ軸方向内側（シャーシ４２２の中央へ向かう側）へ折り返されている。折り返し部４７０ａは、ハウジング４５７と近接（実施形態１におけるハウジング５７と突出部材７０との距離と等しい距離）した状態で、その先端がハウジング４５７の側壁部におけるＸ軸方向中央部辺りまで延出している。また、折り返し部４７０ａの表面の高さは、実施形態１と同様に、接続開口４５５の下端よりも高いものとされている。このため、給電基板４４３の各コネクタ４５４が各接続開口４５５に対してＹ軸方向について図２４に示す下側に位置ずれし、同図上側の端子４５６が、同図下側の嵌合空間ＩＳに対して整合するものの、同図下側の端子４５６が、嵌合空間ＩＳとは整合せずに接続開口４５５に対してＹ軸方向について同図上側の外部に配置された場合には、嵌合作業を進行させると、嵌合されない下側の端子４５６が、突出部材４７０に突き当たることで、嵌合動作が規制される。このように、実施形態１と同様に、給電基板４４３がＹ軸方向について一方側に位置ずれした場合に、一対の突出部材４７０が嵌合されない端子４５６に干渉して嵌合を規制することができる。
【０１００】
また、突出部材４７０の折り返し部４７０ａがＬＥＤ基板４２５の張り出し部４２５ｅと当接していることから、張り出し部４２５ｄの表側が折り返し部４７０ａによって規制されたものとなっている。このような構成とされていると、例えば、ＬＥＤ４２７の熱等によってＬＥＤ基板４２５における張り出し部４２５ｅの近傍に表側へ反るような力が加わった場合であっても、折り返し部４７０ａによって規制され、張り出し部４２５ｄの近傍が表側（ＬＥＤ４２７の光出射側）へ撓むことが防止ないし抑制される。これに伴い、ＬＥＤ基板４２５の端部に設けられたハウジング４５７のＺ軸方向における位置がＬＥＤ基板４２５の撓みによって変動することも防止ないし抑制されるから、例えばＬＥＤ４２７の点灯後において再び接続開口４５５からコネクタ４５４を抜き差しする場合に、良好な作業性を維持することができる。
【０１０１】
＜実施形態６＞
図面を参照して実施形態６を説明する。この実施形態６では、ＬＥＤ基板５２５‐１の給電回路及び底板５２２ａ上における突出部材５７０の配置を変更したものを示す。なお、上記した実施形態１と同様の構造、作用及び効果について重複する説明は省略する。
【０１０２】
実施形態６に係るバックライト装置では、図２６及び図２７に示すように、ＬＥＤ駆動回路基板５３０‐１に互いに電気的に独立した第１駆動部ＬＤ１及び第２駆動部ＬＤ２を設け、第１駆動部ＬＤ１を各図面の左側に配されたＬＥＤ基板５２５‐１に、第２駆動部を各図面の右側に配されたＬＥＤ基板５２５‐１にそれぞれ電気的に接続するような構成とすることができる。この場合、第１駆動部ＬＤ１によって各図面の左側に配されたＬＥＤ基板５２５‐１に配された各ＬＥＤ５２４‐１が駆動されるのに対し、第２駆動部ＬＤ２によって各図面の右側に配されたＬＥＤ基板５２５‐１に配された各ＬＥＤ５２４‐１が駆動される。また、図２６及び図２７に係る給電回路では、一対の給電基板５４３‐１間を中継接続する必要がないことから、上記した各実施形態に記載した中継配線が省略されている。
【０１０３】
また、実施形態６に係るバックライト装置では、図２６に示すように、シャーシ５２２内においてそのＸ軸方向の両端部側にＹ軸方向に沿って並んで配された複数（９つ）のハウジング５５７のうち、Ｙ軸方向の両端側に配された２つのハウジング５５７に対してのみ、そのハウジング５５７に対して外側に隣接するようにそれぞれ１つの突出部材５７０が設けられている。詳しくは、シャーシ５２２内においてＹ軸方向の上側の両端部に配された一対のハウジング５５７に対して、そのハウジング５５７のＹ軸方向の一方（図２６の上方）において隣接する形で突出部材が設けられている。一方、シャーシ５２２内においてＹ軸方向の下側の両端部に配された一対のハウジング５５７に対しては、そのハウジング５５７のＹ軸方向の他方（図２６の下方）において隣接する形で突出部材が設けられている。その他のハウジング５５７に対しては、突出部材５７０は設けられていない。
【０１０４】
そして、コネクタを接続開口に対して嵌合する作業を行う際に、コネクタがＹ軸方向について位置ずれすると、Ｙ軸方向に沿って延在する給電基板５４３‐１の全体が位置ずれすることとなるので、嵌合されない端子のうちＹ軸方向の端部に設けられた端子が、Ｙ軸方向の両端部に設けられた突出部材５７０のいずれか一方に対して干渉する。つまり、給電基板５４３‐１の全体が下側に位置ずれした場合には、嵌合されない図２６おけるＹ軸方向の下側端部の端子が、同図Ｙ軸方向の下側端部に設けられた突出部材５７０に干渉する。逆に、給電基板５４３‐１の全体が上側に位置ずれした場合には、嵌合されない図２６おけるＹ軸方向の上側端部の端子が、同図Ｙ軸方向の上側端部に設けられた突出部材５７０に干渉する。いずれにしても、突出部材５７０によって嵌合が適切に規制され、誤嵌合を防止することができる。このように、給電基板５３４がＹ軸方向に沿って延在する構成では、シャーシ５２２内におけるＹ軸方向の両端側にのみ突出部材５７０を設けた場合であっても、誤挿入を防止することができる。このため、突出部材５７０を設ける個数を削減でき、製造コストの低減や製造工程の簡略化を図ることができる。
【０１０５】
＜実施形態７＞
図面を参照して実施形態７を説明する。この実施形態７では、ＬＥＤ基板６２５‐２の給電回路及び底板６２２ａ上における突出部材６７０の配置を変更したものを示す。なお、上記した実施形態１と同様の構造、作用及び効果について重複する説明は省略する。
【０１０６】
実施形態７に係るバックライト装置では、図２８及び図２９に示すように、各ＬＥＤ基板６２５‐２のうちシャーシ６２２‐２における中央側、つまり給電基板６４３‐２側とは反対側の端部に基板間コネクタＢＣをそれぞれ設け、隣接する基板間コネクタＢＣ同士を嵌合することで、Ｘ軸方向について隣り合うＬＥＤ基板６２５‐２間を電気的に接続するような構成とすることができる。この場合、ＬＥＤ駆動回路基板６３０‐２のＬＥＤ駆動部６３０ｅ‐２によってＸ軸方向について隣り合うＬＥＤ基板６２５‐２にそれぞれ設けられたＬＥＤ６２４‐２が一括して駆動される。また、図２８及び図２９に係る給電回路では、一対の給電基板６４３‐２間を中継接続する必要がないことから、上記した各実施形態に記載した中継配線が省略されている。
【０１０７】
また、実施形態７に係るバックライト装置では、図２８に示すように、シャーシ６２２内においてそのＸ軸方向の両端部側にＹ軸方向に沿って並んで配された複数（９つ）のハウジング６５７のうち、Ｙ軸方向の両端側に配された２つのハウジング６５７に対してのみ、そのハウジング６５７に対して内側に隣接するようにそれぞれ１つの突出部材６７０が設けられている。詳しくは、シャーシ６２２内においてＹ軸方向の上側の両端部に配された一対のハウジング６５７に対して、そのハウジング６５７のＹ軸方向の一方（図２８の下方）において隣接する形で突出部材６７０が設けられている。一方、シャーシ６２２内においてＹ軸方向の下側の両端部に配された一対のハウジング６５７に対しては、そのハウジング６５７のＹ軸方向の他方（図２８の上方）において隣接する形で突出部材６７０が設けられている。その他のハウジング６５７に対しては、突出部材６７０は設けられていない。
【０１０８】
そして、コネクタを接続開口に対して嵌合する作業を行う際に、コネクタがＹ軸方向について位置ずれすると、Ｙ軸方向に沿って延在する給電基板６４３‐２の全体が位置ずれすることとなるので、嵌合されない端子のうちＹ軸方向の端部に設けられた端子が、Ｙ軸方向の両端部に設けられた突出部材６７０のいずれか一方に対して干渉する。つまり、給電基板６４３‐２の全体が下側に位置ずれした場合には、嵌合されない図２８おけるＹ軸方向の上側端部に設けられた一対の端子のうち内側（Ｙ軸方向下側）の端子が、同図Ｙ軸方向の上側端部に設けられたハウジング６５７の内側（Ｙ軸方向下側）に隣接する突出部材６７０に干渉する。逆に、給電基板６４３‐２の全体が上側に位置ずれした場合には、嵌合されない図２８おけるＹ軸方向の下側端部に設けられた一対の端子６５６のうち内側（Ｙ軸方向上側）の端子が、同図Ｙ軸方向の下側端部に設けられたハウジング６５７の内側（Ｙ軸方向上側）に隣接する突出部材６７０に干渉する。いずれにしても、突出部材６７０によって嵌合が適切に規制され、誤挿入を防止することができる。このように、給電基板６４３がＹ軸方向に沿って延在する構成では、シャーシ６２２内におけるＹ軸方向の両端側にのみ突出部材６７０を設けた場合であっても、誤挿入を防止することができる。このため、突出部材６７０を設ける個数を削減でき、製造コストの低減や製造工程の簡略化を図ることができる。
【０１０９】
＜実施形態８＞
図面を参照して実施形態８を説明する。この実施形態８では、ハウジング７５７側に誤嵌合を規制するためのハウジング側規制部７６０を追加したものを示す。なお、上記した実施形態１と同様の構造、作用及び効果について重複する説明は省略する。
【０１１０】
本実施形態に係るバックライト装置では、図３０に示すように、ハウジング７５７の接続開口７５５に対してＹ軸方向、つまりコネクタ７５４をなす一対の端子７５６の並び方向について外側に隣接する形でハウジング側規制部７６０が配されている。本実施形態に係るコネクタ７５４には、ハウジング７５７の一方の外側面（図３０に示す下側の外側面）側にのみハウジング７５７と隣接して突出部材７７０が設けられており、ハウジング７５７の他方の外側面（図３０に示す上側の外側面）側には、突出部材７７０が設けられていない。ハウジング側規制部７６０は、ハウジング７５７に一体形成されており、ハウジング７５７のうち嵌合空間ＩＳに臨む内側面とは反対側の外側面からＹ軸方向に沿って外向き（嵌合空間ＩＳ側とは反対向き）に突出する形態とされる。ハウジング側規制部７６０は、全体として略直方体状（略ブロック状）をなしており、各外面がＸ軸方向、Ｙ軸方向またはＺ軸方向に並行するほぼ真っ直ぐな形状とされている。特に、ハウジング側規制部７６０における前端面は、Ｙ軸方向及びＺ軸方向に並行する面となっている。ハウジング側規制部７６０は、ハウジング７５７においてＸ軸方向（前後方向）について前端部（固定金具よりも前側部分）に配されており、その前端面がハウジング７５７の前端面と略面一状をなしている。
【０１１１】
そして、コネクタ７５４を接続開口７５５に対して挿入して嵌合する作業を行う際に、コネクタ７５４がＹ軸方向について位置ずれしていて、嵌合空間ＩＳに嵌合され得る端子７５６と、嵌合空間ＩＳに嵌合されない端子７５６とが生じた場合には、嵌合されない端子７５６が、接続開口７５５側に設けられたハウジング側規制部７６０と、シャーシ７２２側に設けられた突出部材７７０とのいずれか一方に対して干渉する。詳しくは、コネクタ７５４が図３０に示す下側に位置ずれした場合には、同図二点鎖線に示すように、嵌合されない同図下側の端子７５６が突出部材７７０に干渉する。逆に、コネクタ７５４が図３０に示す上側に位置ずれした場合には、同図実線に示すように、嵌合されない同図上側の端子７５６がハウジング側規制部７６０に干渉する。いずれにしても、突出部材７７０またはハウジング側規制部７６０によって嵌合が適切に規制され、誤挿入を防止することができる。
【０１１２】
＜実施形態９＞
図面を参照して実施形態９を説明する。この実施形態９では、給電基板８４３側に誤嵌合を規制するための給電基板側規制部８７２を追加したものを示す。なお、上記した実施形態１と同様の構造、作用及び効果について重複する説明は省略する。
【０１１３】
本実施形態に係るバックライト装置では、図３１に示すように、給電基板８４３に、コネクタ８５４に対してＹ軸方向、つまり一対の端子８５６の並び方向について隣接する形で給電基板側規制部８７２が設けられている。給電基板側規制部８７２は、コネクタ８５４に対してＹ軸方向について両側に隣接する形（コネクタ８５４を両側方から挟み込む形）で一対配されている。給電基板側規制部８７２は、給電基板８４３の給電基板本体８４３ａのうちシャーシ８２２の長辺方向の外側を向いた側面からＸ軸方向に沿って外向きに突出する形で一体に設けられており、コネクタ８５４の端子８５６に並行している。給電基板側規制部８７２と隣り合う端子８５６との間の間隔は、ハウジング８５７の周壁部における側壁部の厚み寸法よりもやや広い程度の大きさとされており、それにより各端子８５６が接続開口８５５の各嵌合空間ＩＳに対して正規に嵌合されたときに、側壁部が端子８５６と給電基板側規制部８７２との間に入り込むことが許容されている。給電基板側規制部８７２は、その前端面が端子８５６の前端面とほぼ面一状をなしている。
【０１１４】
そして、コネクタ８５４を接続開口８５５に対して挿入して嵌合する作業を行う際に、コネクタ８５４がＹ軸方向について位置ずれしていて、嵌合空間ＩＳに嵌合され得る端子８５６と、嵌合空間ＩＳに嵌合されない端子８５６とが生じた場合には、嵌合されない端子８５６がシャーシ側に設けられた一方の突出部材８７０に干渉するのに加えて、給電基板８４３側に設けられた給電基板側規制部８７２が周壁部のうち側壁部及び他方の突出部材８７０に対して干渉する。このように突出部材８７０及び給電基板側規制部８７２によって二重に嵌合が規制されるから、誤挿入をより確実に防止することができる。
＜実施形態１０＞
図面を参照して実施形態１０を説明する。この実施形態１０では、給電基板９４３を表裏反転させた姿勢で組み付け作業を行うのを規制するための反転組付規制構造９７４を追加したものを示す。なお、上記した実施形態１と同様の構造、作用及び効果について重複する説明は省略する。
【０１１５】
本実施形態に係るバックライト装置は、反転組付規制構造９７４を有している。反転組付規制構造９７４は、図３２に示すように、シャーシ９２２側に設けられた反転規制突出部材９７４ａと、給電基板９４３側に設けられるとともに反転規制突出部材９７４ａを受け入れ可能な位置決め切り欠き９７４ｂとからなる。位置決め切り欠き９７４ｂは、給電基板９４３の給電基板本体９４３ａにおける延在方向（Ｙ軸方向）についての一方の端部（図３２に示す上側の端部）の前側の角部を傾斜状に切り欠くことで形成されている。これに対し、反転規制突出部材９７４ａは、シャーシ９２２の底板９２２ａの一部に対して絞り加工を施すことで、底板９２２ａからＺ軸方向に沿って表側（ＬＥＤの光出射側）に突出する形で形成されており、その配置が正規に組み付けられた状態の給電基板９４３における位置決め切り欠き９７４ｂと平面に視て重畳する設定とされている。つまり、反転規制突出部材９７４ａは、底板９２２ａにおいて、給電基板９４３が正規に組み付けられ、コネクタ９５４が接続開口９５５に対して正規に挿入されたとき、位置決め切り欠き９７４ｂ内に受け入れられる位置に配されている。これにより、給電基板９４３が正常な姿勢とされた場合には、給電基板９４３の組み付けが許容されるようになっている。
【０１１６】
その一方、給電基板９４３が正常な姿勢とは表裏に反転した姿勢のまま組み付けが行われた場合には、図３３に示すように、位置決め切り欠き９７４ｂがＹ軸方向について反転規制突出部材９７４ａとは反対側（図３３に示す下側）に配されて反転規制突出部材９７４ａと非整合の関係となるから、給電基板９４３の給電基板本体９４３ａのうち位置決め切り欠き９７４ｂとは反対側の端部が反転規制突出部材９７４ａに干渉することで、反転姿勢での組み付けが規制される。これにより、給電基板９４３が正常な姿勢から表裏に反転した姿勢のまま組み付けが行われることを防ぐことができ、接続不良の防止を図ることができる。
【０１１７】
また、コネクタ９５４を接続開口９５５に対して挿入して嵌合する作業を行う際に、コネクタ９５４がＹ軸方向について位置ずれしていて、嵌合空間ＩＳに嵌合され得る端子９５６と、嵌合空間ＩＳに嵌合されない端子９５６とが生じた場合には、図３４に示すように、嵌合されない端子９５６がハウジング９５７と隣接する突出部材９７０に対して干渉することで、誤挿入を防止することができる。
【０１１８】
上記の各実施形態の変形例を以下に列挙する。
（１）上記の各実施形態では、突出部材が円柱状とされ、ハウジングにおける接続開口側（シャーシの内側）寄りとなるような位置でハウジングと隣接している構成を例示したが、突出部材の形状、ハウジングと隣接する突出部材の配置態様については、限定されない。
【０１１９】
（２）上記の各実施形態では、突出部材がシャーシに対して絞り加工を施すことによって形成される構成を例示したが、突出部材の材質は限定されない。シャーシと突出部材とが別体であってもよい。
【０１２０】
（３）上記の実施形態以外にも、突出部材の配置、構成、形状、個数等については、適宜に変更可能である。
【０１２１】
（４）上記の各実施形態では、表示パネルとして液晶パネルを用いた液晶表示装置を例示したが、他の種類の表示パネルを用いた表示装置にも本発明は適用可能である。
【０１２２】
（５）上記の各実施形態では、チューナーを備えたテレビ受信装置を例示したが、チューナーを備えない表示装置にも本発明は適用可能である。
【０１２３】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【０１２４】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１２５】
１０…液晶表示装置、１１…液晶パネル、１２…バックライト装置、２４…ＬＥＤ、２５，１２５，２２５，３２５，４２５，５２５，６２５，７２５，８２５，９２５…ＬＥＤ基板、４３，１４３，２４３，３４３，４４３，５４３，６４３，７４３，８４３，９４３…給電基板、５４，１５４，２５４，３５４，４５４，５５４，６５４，７５４，８５４，９５４…コネクタ、５５，１５５，２５５，４５５，５５５，６５５，８５５，９５５…接続開口、５６，１５６，２５６，３５６，４５６，５５６，６５６，９５６…端子、５７，１５７，２５７，３５７，４５７，５５７，６５７，７５７…ハウジング、５８，２５８，９５８…端子金具、７０，１７０，２７０，３７０，４７０，５７０，６７０，７７０，８７０，９７０…突出部材、６６３…中継コネクタ、ＴＶ…テレビ受信装置
【図１】
2013229232.tif 000003
【図２】
2013229232.tif 000004
【図３】
2013229232.tif 000005
【図４】
2013229232.tif 000006
【図５】
2013229232.tif 000007
【図６】
2013229232.tif 000008
【図７】
2013229232.tif 000009
【図８】
2013229232.tif 000010
【図９】
2013229232.tif 000011
【図１０】
2013229232.tif 000012
【図１１】
2013229232.tif 000013
【図１２】
2013229232.tif 000014
【図１３】
2013229232.tif 000015
【図１４】
2013229232.tif 000016
【図１５】
2013229232.tif 000017
【図１６】
2013229232.tif 000018
【図１７】
2013229232.tif 000019
【図１８】
2013229232.tif 000020
【図１９】
2013229232.tif 000021
【図２０】
2013229232.tif 000022
【図２１】
2013229232.tif 000023
【図２２】
2013229232.tif 000024
【図２３】
2013229232.tif 000025
【図２４】
2013229232.tif 000026
【図２５】
2013229232.tif 000027
【図２６】
2013229232.tif 000028
【図２７】
2013229232.tif 000029
【図２８】
2013229232.tif 000030
【図２９】
2013229232.tif 000031
【図３０】
2013229232.tif 000032
【図３１】
2013229232.tif 000033
【図３２】
2013229232.tif 000034
【図３３】
2013229232.tif 000035
【図３４】
2013229232.tif 000036